(57)【要約】本発明は、対向する第１側面パネル及び第２側面パネル、前記第１側面パネルと前記第２側面パネルを連結してそれぞれ上面と底面を形成する上部パネル及び下部パネル、前記第１側面パネルと前記第２側面パネルを連結して後面を形成する後方パネルが備えられたキャビネット；前記第１側面パネル、前記第２側面パネル、前記上部パネル及び前記下部パネルに固定されて前記キャビネットの前面を形成する前方パネル及び前記前方パネルを貫通する投入口が備えられた第１ベース；前記前方パネルに固定されて前記キャビネット内に位置し、前記投入口に連通して衣類が収容される空間を提供する第１チャンバー；前記前方パネルと前記後方パネルの間に位置する前方フレーム、前記前方フレームから前記後方パネルに向かって延び、前記第１チャンバーの底面と離隔する上部フレーム、前記第１側面パネルと離隔する第１側面フレーム及び前記第２側面パネルと離隔する第２側面フレームが備えられた第２ベース；前記前方フレーム、前記上部フレーム、前記第１側面フレーム、前記第２側面フレーム、前記下部パネル及び前記後方パネルにより形成される第２チャンバー；前記第２チャンバー内に備えられて前記第１チャンバーに空気と水分のうちのいずれかを供給する供給部；前記キャビネット又は前記前方パネルに回転自在に固定されて前記投入口を開閉するドア；及び前記キャビネット、前記第１ベース、前記第１チャンバー及び前記第２ベースの間に形成された発泡空間に注入される発泡プラスチック(ｆｏｒｍｉｎｇ ｐｌａｓｔｉｃ)で形成される断熱部；を含む衣類処理装置に関する。
2021531132.tif 000002
【特許請求の範囲】
【請求項１】
衣類処理装置であって、
対向する第１側面パネル及び第２側面パネル、前記第１側面パネルと前記第２側面パネルを連結してそれぞれ上面と底面を形成する上部パネル及び下部パネル、前記第１側面パネルと前記第２側面パネルを連結して後面を形成する後方パネルが備えられたキャビネット；
前記第１側面パネル、前記第２側面パネル、前記上部パネル及び前記下部パネルに固定されて前記キャビネットの前面を形成する前方パネル及び前記前方パネルを貫通する投入口が備えられた第１ベース；
前記前方パネルに固定されて前記キャビネット内に位置し、前記投入口に連通して衣類が収容される空間を提供する第１チャンバー；
前記前方パネルと前記後方パネルの間に位置する前方フレーム、前記前方フレームから前記後方パネルに向かって延び、前記第１チャンバーの底面と離隔する上部フレーム、前記第１側面パネルと離隔する第１側面フレーム及び前記第２側面パネルと離隔する第２側面フレームが備えられた第２ベース；
前記前方フレーム、前記上部フレーム、前記第１側面フレーム、前記第２側面フレーム、前記下部パネル及び前記後方パネルにより形成される第２チャンバー；
前記第２チャンバー内に備えられて前記第１チャンバーに空気と水分のうちのいずれかを供給する供給部；
前記キャビネット又は前記前方パネルに回転自在に固定されて前記投入口を開閉するドア；及び
前記キャビネット、前記第１ベース、前記第１チャンバー及び前記第２ベースの間に形成された発泡空間に注入される発泡プラスチック(ｆｏｒｍｉｎｇ ｐｌａｓｔｉｃ)で形成される断熱部；を備えることを特徴とする、衣類処理装置。
【請求項２】
前記発泡空間は、
前記第１チャンバーと前記上部パネルの間に形成された空間；
前記第１チャンバーと前記第１側面パネルの間に形成された空間；
前記第１チャンバーと前記第２側面パネルの間に形成された空間；
前記第１チャンバーと前記後方パネルの間に形成された空間；
前記第１チャンバーと前記上部フレームの間に形成された空間；
前記前方パネルと前記前方フレームの間に形成された空間；
前記第１側面フレームと前記第１側面パネルの間に形成された空間；及び、
前記第２側面フレームと前記第２側面パネルの間に形成された空間；を備えることを特徴とする、請求項１に記載の衣類処理装置。
【請求項３】
前記発泡プラスチックは、ポリウレタン(Ｐｏｌｙｕｒｅｔｈａｎｅ)、ポリスチレン(Ｐｏｌｙｓｔｙｒｅｎｅ)、及びポリオレフィン(Ｐｏｌｙｏｌｅｆｉｎ)のうちの何れかからなることを特徴とする、請求項２に記載の衣類処理装置。
【請求項４】
前記第１チャンバーの底面を貫通するチャンバーの第１貫通孔及びチャンバーの第２貫通孔；
前記上部フレームを貫通する第１固定孔及び第２固定孔；
前記チャンバーの第１貫通孔と前記第１固定孔を連結する第１流路形成部；及び
前記チャンバーの第２貫通孔と前記第２固定孔を連結する第２流路形成部；を更に備え、
前記供給部は、前記第２チャンバー内に備えられて前記第１固定孔と前記第２固定孔を連結する循環ダクト、
前記循環ダクトに流入した空気を除湿する第１熱交換器、
前記循環ダクト内に備えられて前記第１熱交換器を通過した空気を加熱する第２熱交換器、及び、
前記第１固定孔に流入した空気を前記第２固定孔に移動させるファンを備えることを特徴とする、請求項２に記載の衣類処理装置。
【請求項５】
前記第１流路形成部は、前記第１チャンバーの底面と前記上部フレームの間の間隔を維持するように備えられた第１流路ボディ；及び、前記第１流路ボディを貫通して前記チャンバーの第１貫通孔と前記第１固定孔を連結する第１ボディの貫通孔；を備え、
前記第２流路形成部は、前記第１チャンバーの底面と前記上部フレームの間の間隔を維持するように備えられた第２流路ボディ；及び、前記第２流路ボディを貫通して前記チャンバーの第２貫通孔と前記第２固定孔を連結する第２ボディの貫通孔；を備えることを特徴とする、請求項４に記載の衣類処理装置。
【請求項６】
前記投入口の下部に位置し、前記前方パネルを貫通する第１外気吸入口；
前記前方フレームを貫通する第２外気吸入口；
前記第１外気吸入口と前記第２外気吸入口を連結する外気ガイド；及び
前記第２外気吸入口と前記循環ダクトを連結する外気ダクト；を更に備えることを特徴とする、請求項４に記載の衣類処理装置。
【請求項７】
前記循環ダクトは、
前記第１固定孔に連結された吸気ダクト；
前記第２固定孔に連結された排気ダクト；
前記吸気ダクトに流入した空気及び前記外気ダクトから供給される空気を前記排気ダクトに導く連結ダクト；
前記吸気ダクトを開閉する第１開閉部；及び
前記外気ダクトを開閉する第２開閉部；を備えることを特徴とする、請求項６に記載の衣類処理装置。
【請求項８】
前記外気ガイドは、
一端が前記前方パネルに固定され、他端は前記前方フレームに固定されて前記前方パネルと前記前方フレームの間の間隔を維持するガイドボディ；及び
前記ガイドボディを貫通して前記第１外気吸入口と前記第２外気吸入口を連結するガイド貫通孔；を備えることを特徴とする、請求項６に記載の衣類処理装置。
【請求項９】
前記前方パネルにおいて前記前方フレームに向かって凹んで折り曲げられた取付溝；
前記取付溝を貫通する第２チャンバー連通孔；
前記前方フレームを貫通して、前記第２チャンバー連通孔に連結された取付溝連通孔；
水が貯蔵される空間を提供し、前記取付溝に着脱自在な集水タンク；
前記集水タンクを貫通して、前記第２チャンバー連通孔に位置する集水タンク貫通孔；
前記集水タンクが前記取付溝に挿入されると、前記集水タンク貫通孔に結合し、前記集水タンクが前記取付溝から引き出されると、前記集水タンク貫通孔から分離される第１排出管；及び
前記第１熱交換器から排出される凝縮水を前記第１排出管に供給する排出ポンプ；を備えることを特徴とする、請求項４に記載の衣類処理装置。
【請求項１０】
前記第１チャンバーの底面を貫通するチャンバー貫通孔；
前記上部フレームを貫通する供給管貫通孔；を更に備え、
前記供給部は、
前記第２チャンバー内に備えられてスチームを発生させるスチーム発生器、
前記チャンバー貫通孔に位置する噴射口及び前記供給管の貫通孔に挿入された供給管が備えられた噴射ボディ、及び
前記スチーム発生器と前記供給管を連結する連結管を備えることを特徴とする、請求項２に記載の衣類処理装置。
【請求項１１】
前記前方パネルにおいて前記前方フレームに向かって凹んで折り曲げられた取付溝；
前記取付溝を貫通する第２チャンバー連通孔；
前記前方フレームを貫通して、前記第２チャンバー連通孔に固定された取付溝連通孔；
水が貯蔵される空間を提供し、前記取付溝に着脱自在な供給タンク；
前記供給タンクを貫通して、前記第２チャンバー連通孔に位置する供給タンク貫通孔；
前記供給タンクが前記取付溝に挿入されると、前記供給タンク貫通孔に結合し、前記供給タンクが前記取付溝から引き出されると、前記供給タンク貫通孔から分離される第１供給管；及び
前記第１供給管に流入した水を前記スチーム発生器に連結された第２供給管に移動させる供給ポンプ；を備えることを特徴とする、請求項８に記載の衣類処理装置。
【請求項１２】
制御命令が表示される表示部及び制御命令が入力される入力部のうちの何れかが備えられ、
前記ドアに固定された制御パネル；
前記第２チャンバー内に備えられた制御部；
前記前方パネルを貫通するパネル貫通孔；
前記前方フレームを貫通するフレーム貫通孔；及び
前記パネル貫通孔と前記フレーム貫通孔を連結して、前記制御パネルと前記制御部を連結するワイヤが挿入されるワイヤガイド；を更に備えることを特徴とする、請求項２に記載の衣類処理装置。
【請求項１３】
制御命令が表示される表示部及び制御命令が入力される入力部のうちの何れかが備えられ、
前記ドアに固定された制御パネル；
前記第２チャンバー内に備えられた制御部；
前記前方パネルが提供する空間のうち、前記第１チャンバーの上部に位置する空間に前記ドアを連結する第１ヒンジ；
前記前方パネルが提供する空間のうち、前記第１チャンバーの下部に位置する空間に前記ドアを連結する第２ヒンジ；
前記前方パネルの左上端と右上端にそれぞれ備えられた第１ヒンジの第１取付部及び第１ヒンジの第２取付部；
前記前方パネルの左下端と右下端にそれぞれ備えられた第２ヒンジの第１取付部及び第２ヒンジの第２取付部；
前記第２ヒンジの第１取付部の下部に位置するパネルの第１貫通孔；
前記第２ヒンジの第２取付部の下部に位置するパネルの第２貫通孔；
前記前方フレームを貫通するフレームの第１貫通孔；
前記前方フレームを貫通するフレームの第２貫通孔；
前記パネルの第１貫通孔と前記フレームの第１貫通孔を連結し、前記制御パネルと前記制御部を連結するワイヤが挿入可能なワイヤの第１ガイド；及び
前記パネルの第２貫通孔と前記フレームの第２貫通孔を連結し、前記制御パネルと前記制御部を連結するワイヤが挿入可能な第２ガイド；を備えることを特徴とする、請求項２に記載の衣類処理装置。
【請求項１４】
前記上部パネルに固定されて前記第１チャンバーの外部に位置する支持フレーム；
前記支持フレームを貫通する支持部の第１貫通孔及び支持部の第２貫通孔；
前記第１チャンバーの上面を貫通して前記支持部の第１貫通孔の下部に位置する第１バー貫通孔；
前記第１チャンバーの上面を貫通して前記支持部の第２貫通孔の下部に位置する第２バー貫通孔；
前記支持部の第１貫通孔と前記第１バー貫通孔を連結し、前記支持フレームと前記第１チャンバーの間の間隔を維持するパイプ状の第１支持ボディ；
前記支持部の第２貫通孔と前記第２バー貫通孔を連結し、前記支持フレームと前記第１チャンバーの間の間隔を維持するパイプ状の第２支持ボディ；
一端は前記支持フレームに固定され、他端は前記第１支持ボディに挿入されて前記第１チャンバー内に位置する第１連結部；
一端は前記支持フレームに固定され、他端は前記第２支持ボディに挿入されて前記第１チャンバー内に位置する第２連結部；及び
一端は前記第１連結部に固定され、他端は前記第２連結部に固定されて衣類が支持される支持バー；を更に備えることを特徴とする、請求項２に記載の衣類処理装置。
【請求項１５】
前記支持フレームに備えられ、前記支持バーを前記第１チャンバーの幅方向に沿って往復させる駆動部；
前記第２チャンバー内に備えられた制御部；及び
前記支持フレームに備えられ、前記駆動部と前記制御部を連結するワイヤを前記第１チャンバーと前記キャビネットの間に形成された空間に導く支持フレームガイド；を更に備えることを特徴とする、請求項１４に記載の衣類処理装置。
【請求項１６】
前記下部パネルは、
前面は前記前面パネルに固定され、後面は前記前方フレームに固定され、両側面は前記第１側面パネルと前記第２側面パネルに固定される第１下部パネル；及び
前面は前記第１下部パネルの後面に連結され、両側面は前記第１側面と前記第２側面に固定されて前記第２ベースの下部に位置する第２下部パネル；を備えることを特徴とする、請求項２に記載の衣類処理装置。
【請求項１７】
前記第１側面パネルが提供する空間のうち、前記前方パネルが位置する方向に備えられた前方第１締結部；
前記第２側面パネルが提供する空間のうち、前記前方パネルが位置する方向に備えられた前方第２締結部；
前記上部パネルが提供する空間のうち、前記前方パネルが位置する方向に備えられた上部パネルの前方締結部；
前記第１下部パネルが提供する空間のうち、前記前方パネルが位置する方向に備えられた下部パネルの前方締結部；
前記前方パネルの縁部に備えられて前記前方第１締結部に嵌入結合する前方パネルの第１締結部；
前記前方パネルの縁部に備えられて前記前方第２締結部に嵌入結合する前方パネルの第２締結部；
前記前方パネルの縁部に備えられて前記上部パネルの前方締結部に嵌入結合する前方パネルの上部締結部；及び
前記前方パネルの縁部に備えられて前記下部パネルの前方締結部に嵌入結合する前方パネルの下部締結部；を更に備えることを特徴とする、請求項１６に記載の衣類処理装置。
【請求項１８】
前記後方パネルは、
前記第１側面パネル、前記第２側面パネル、前記上部パネル及び前記上部フレームの後面に結合する第１後方パネル；及び
前記第１側面フレームの後面及び前記第２側面フレームの後面に着脱自在に結合し、前記第１後方パネルの下部に位置する第２後方パネル；を備えることを特徴とする、請求項１７に記載の衣類処理装置。
【請求項１９】
前記上部パネルのうち、前記後方パネルが位置する方向に備えられる上部パネルの後方締結部；
前記第１側面パネルのうち、前記後方パネルが位置する方向及び前記下部パネルが位置する方向にそれぞれ備えられる後方第１締結部及び下部第１締結部；
前記第２側面パネルのうち、前記後方パネルが位置する方向及び前記下部パネルが位置する方向にそれぞれ備えられる後方第２締結部及び下部第２締結部；
前記第１後方パネルの縁部に備えられて前記上部パネルの後方締結部に嵌入結合する後方パネルの上部締結部；
前記第１後方パネルの縁部に備えられて前記後方第１締結部に嵌入結合する後方パネルの第１締結部；
前記第１後方パネルの縁部に備えられて前記後方第２締結部に嵌入結合する後方パネルの第２締結部；
前記第１側面フレームの後方に備えられて前記後方第１締結部に嵌入結合するフレームの後方第１締結部；
前記第１側面フレームの下方に備えられて前記下部第１締結部に嵌入結合するフレームの下部第１締結部；
前記第２側面フレームの後方に備えられて前記後方第２締結部に嵌入結合するフレームの後方第２締結部；及び
前記第２側面フレームの下方に備えられて前記下部第２締結部に嵌入結合するフレームの下部第２締結部；を更に備えることを特徴とする、請求項１８に記載の衣類処理装置。
【請求項２０】
前記第１後方パネルを貫通して前記発泡プラスチックが注入される注入口；を更に備えることを特徴とする、請求項１９に記載の衣類処理装置。
【発明の詳細な説明】
【技術分野】
【０００１】
本発明は衣類処理装置に関する。
【背景技術】
【０００２】
一般に衣類処理装置は、衣類に関連する各種の作業を行う装置であり、衣類を洗濯する洗濯装置、ぬれた衣類を乾燥する乾燥装置、衣類に染み付いた匂い又はシワ（ｗｒｉｎｋｌｅ）を除去するリフレッシャー（ｒｅｆｒｅｓｈｅｒ）などを含む概念である。
【０００３】
従来の衣類処理装置は、衣類が収容される空間を提供するドラム、ドラムを回転させる駆動部、及びドラムにスチームや熱風を供給する供給部を含む。ところが、この構造の衣類処理装置では、ドラム回転中にスチームや熱風が衣類に供給されるので(ドラムに投入された衣類は広げられた状態ではないので)、衣類にシワがついてしまう問題がある。
【０００４】
この問題を解決するために、キャビネット、キャビネット内に備えられ、衣類が収容される空間を提供する第１チャンバー、キャビネット内に備えられ、第１チャンバーと分離された空間を提供する第２チャンバー及び第２チャンバーに備えられ、第１チャンバーにスチームや熱風を供給する供給部を含む衣類処理装置がある。
【０００５】
この構造の衣類処理装置(韓国特許公開１０−２０１１−００６７８３３)では、衣類が第１チャンバー内で広げられた状態を維持できるので、ドラムを回転しながら臭いとシワを除去する従来の装置の問題(衣類にシワが残る問題)を解決することができる。
【０００６】
しかし、第１チャンバーに衣類が置載された状態でスチームと熱風を供給する従来の衣類処理装置は、キャビネットと第１チャンバーの間に別の断熱材が備えられないので、第１チャンバーの断熱が難しいという短所がある。これにより、従来の衣類処理装置は、エネルギー効率が低いという問題がある。
【０００７】
また従来の衣類処理装置は、キャビネットとチャンバーの間に位置するフレームにキャビネット、第１チャンバー及び第２チャンバーが固定されているので、衣類処理装置の振動時、金属板からなるキャビネットが振動や騒音を増幅させるという短所がある。
【０００８】
また従来の衣類処理装置は、キャビネットによる振動や騒音を最小化するために、キャビネットの強度を補強する部材がさらに求められるという短所がある。
【発明の詳細な説明】
【０００９】
〔技術的課題〕
本発明は外観を形成するキャビネットと衣類が収容される空間を提供するチャンバーの間に形成された空間に位置する断熱部が備えられた衣類処理装置を提供することを解決課題とする。
【００１０】
本発明は断熱部がキャビネットとチャンバーの間に形成された空間に注入される発泡プラスチックで形成される衣類処理装置を提供することを解決課題とする。
【００１１】
本発明はキャビネットとチャンバーの間に形成された空間に注入された発泡プラスチックがチャンバーの内部又はキャビネットの外部に漏出することを防止できる締結構造を有する衣類処理装置を提供することを解決課題とする。
【００１２】
本発明はキャビネットとチャンバーの間に発泡プラスチックを注入することによりキャビネットが振動することを最小化する衣類処理装置を提供することを解決課題とする。
【課題解決手段】
【００１３】
本発明は、投入口が備えられたキャビネット；キャビネットに固定されて衣類が収容される空間を提供し、投入口に連通する第１チャンバー；キャビネットに固定されて第１チャンバーの下部に位置し、第１チャンバーと区分される空間を形成する第２チャンバー；第２チャンバー内に備えられて第１チャンバーに空気及びスチームのうちのいずれかを供給する供給部；及びキャビネットと第１チャンバーの間に形成された空間、キャビネットと第２チャンバーの間に形成された空間及び第１チャンバーと第２チャンバーの間に形成された発泡空間に注入される断熱部；を含む（備える：構成する）衣類処理装置を提供する。断熱部は発泡プラスチック(ｆｏｒｍｉｎｇ ｐｌａｓｔｉｃ)で形成され、これにより、本発明は第１チャンバーに供給される熱エネルギーの損失を最小化することができる。
【００１４】
また断熱部はキャビネット、第１チャンバー及び第２チャンバーの間に形成された発泡空間に備えられるので、供給部の作動時、キャビネットやチャンバーなどが振動することを最小化することができる。
【００１５】
本発明は、対向する第１側面パネル及び第２側面パネル、第１側面パネルと第２側面パネルを連結してそれぞれ上面と底面を形成する上部パネル及び下部パネル、第１側面パネルと第２側面パネルを連結して後面を形成する後方パネルが備えられたキャビネット；第１側面パネル、第２側面パネル、上部パネル及び下部パネルに固定されてキャビネットの前面を形成する前方パネル及び前方パネルを貫通する投入口が備えられた第１ベース；前方パネルに固定されてキャビネット内に位置し、投入口に連通して衣類が収容される空間を提供する第１チャンバー；前方パネルと後方パネルの間に位置する前方フレーム、前方フレームから後方パネルに向かって延び、第１チャンバーの底面と離隔する上部フレーム、第１側面パネルと離隔する第１側面フレーム及び第２側面パネルと離隔する第２側面フレームが備えられた第２ベース；前方フレーム、上部フレーム、第１側面フレーム、第２側面フレーム、下部パネル及び後方パネルにより形成される第２チャンバー；第２チャンバー内に備えられて第１チャンバーに空気と水分のうちのいずれかを供給する供給部；キャビネット又は前方パネルに回転自在に固定されて投入口を開閉するドア；及びキャビネット、第１ベース、第１チャンバー及び第２ベースの間に形成された発泡空間に注入される発泡プラスチックで形成される断熱部；を含む衣類処理装置を提供する。
【００１６】
発泡空間は、第１チャンバーと上部パネルの間に形成された空間；第１チャンバーと第１側面パネルの間に形成された空間；第１チャンバーと第２側面パネルの間に形成された空間；第１チャンバーと後方パネルの間に形成された空間；第１チャンバーと上部フレームの間に形成された空間；前方パネルと前方フレームの間に形成された空間；第１側面フレームと第１側面パネルの間に形成された空間；及び第２側面フレームと第２側面パネルの間に形成された空間；を含む。
【００１７】
発泡プラスチックはポリウレタン(Ｐｏｌｙｕｒｅｔｈａｎｅ)、ポリスチレン(Ｐｏｌｙｓｔｙｒｅｎｅ)及びポリオレフィン(Ｐｏｌｙｏｌｅｆｉｎ)のうちのいずれかからなる。
【００１８】
さらに本発明は、第１チャンバーの底面を貫通するチャンバーの第１貫通孔及びチャンバーの第２貫通孔；上部フレームを貫通する第１固定孔及び第２固定孔；チャンバーの第１貫通孔と第１固定孔を連結する第１流路形成部；及びチャンバーの第２貫通孔と第２固定孔を連結する第２流路形成部；を含み、供給部は、第２チャンバー内に備えられて第１固定孔と第２固定孔を連結する循環ダクト、循環ダクトに流入した空気を除湿する第１熱交換器、循環ダクト内に備えられて第１熱交換器を通過した空気を加熱する第２熱交換器、及び第１固定孔に流入した空気を第２固定孔に移動させるファンを含む。
【００１９】
第１流路形成部は、第１チャンバーの底面と上部フレームの間の間隔を維持するための第１流路ボディ及び第１流路ボディを貫通してチャンバーの第１貫通孔と第１固定孔を連結する第１ボディの貫通孔；を含み、第２流路形成部は、第１チャンバーの底面と上部フレームの間の間隔を維持するための第２流路ボディ及び第２流路ボディを貫通してチャンバーの第２貫通孔と第２固定孔を連結する第２ボディの貫通孔；を含む。
【００２０】
さらに本発明は、投入口の下部に位置し、前方パネルを貫通する第１外気吸入口；前方フレームを貫通する第２外気吸入口；第１外気吸入口と第２外気吸入口を連結する外気ガイド；及び第２外気吸入口と循環ダクトを連結する外気ダクト；を含む。
【００２１】
循環ダクトは、第１固定孔に連結された吸気ダクト；第２固定孔に連結された排気ダクト；吸気ダクトに流入した空気及び外気ダクトから供給される空気を排気ダクトに導く連結ダクト；吸気ダクトを開閉する第１開閉部；及び外気ダクトを開閉する第２開閉部；を含む。
【００２２】
外気ガイドは、一端が前方パネルに固定され、他端は前方フレームに固定されて前方パネルと前方フレームの間の間隔を維持するガイドボディ；及びガイドボディを貫通して第１外気吸入口と第２外気吸入口を連結するガイド貫通孔；を含む。
【００２３】
さらに本発明は、前方パネルにおいて前方フレームに向かって凹んで折り曲げられた取付溝；取付溝を貫通する第２チャンバー連通孔；前方フレームを貫通して、第２チャンバー連通孔に連結された取付溝連通孔；水が貯蔵される空間を提供し、取付溝に着脱自在な集水タンク；集水タンクを貫通して、第２チャンバー連通孔に位置する集水タンク貫通孔；集水タンクが取付溝に挿入されると、集水タンク貫通孔に結合し、集水タンクが取付溝から引き出されると、集水タンク貫通孔から分離される第１排出管；及び第１熱交換器から排出される凝縮水を第１排出管に供給する排出ポンプ；を含む。
【００２４】
さらに本発明は、第１チャンバーの底面を貫通するチャンバー貫通孔；上部フレームを貫通する供給管貫通孔；を含み、供給部は、第２チャンバー内に備えられてスチームを発生させるスチーム発生器、チャンバー貫通孔に位置する噴射口及び供給管の貫通孔に挿入された供給管が備えられた噴射ボディ、及びスチーム発生器と供給管を連結する連結管を含む。
【００２５】
さらに本発明は、前方パネルにおいて前方フレームに向かって凹んで折り曲げられた取付溝；取付溝を貫通する第２チャンバー連通孔；前方フレームを貫通して、第２チャンバー連通孔に固定された取付溝連通孔；水が貯蔵される空間を提供し、取付溝に着脱自在な供給タンク；供給タンクを貫通して、第２チャンバー連通孔に位置する供給タンク貫通孔；供給タンクが取付溝に挿入されると、供給タンク貫通孔に結合し、供給タンクが取付溝から引き出されると、供給タンク貫通孔から分離される第１供給管；及び第１供給管に流入した水をスチーム発生器に連結された第２供給管に移動させる供給ポンプ；を含む。
【００２６】
さらに本発明は、制御命令が表示される表示部及び制御命令が入力される入力部のうちのいずれかが備えられ、ドアに固定された制御パネル；第２チャンバー内に備えられた制御部；前方パネルを貫通するパネル貫通孔；前方フレームを貫通するフレーム貫通孔；及びパネル貫通孔とフレーム貫通孔を連結して、制御パネルと制御部を連結するワイヤが挿入されるワイヤガイド；を含む。
【００２７】
さらに本発明は、制御命令が表示される表示部及び制御命令が入力される入力部のうちのいずれかが備えられ、ドアに固定された制御パネル；第２チャンバー内に備えられた制御部；前方パネルが提供する空間のうち、第１チャンバーの上部に位置する空間にドアを連結する第１ヒンジ；前方パネルが提供する空間のうち、第１チャンバーの下部に位置する空間にドアを連結する第２ヒンジ；前方パネルの左上端と右上端にそれぞれ備えられた第１ヒンジの第１取付部及び第１ヒンジの第２取付部；前方パネルの左下端と右下端にそれぞれ備えられた第２ヒンジの第１取付部及び第２ヒンジの第２取付部；第２ヒンジの第１取付部の下部に位置するパネルの第１貫通孔；第２ヒンジの第２取付部の下部に位置するパネルの第２貫通孔；前方フレームを貫通するフレームの第１貫通孔；前方フレームを貫通するフレームの第２貫通孔；パネルの第１貫通孔とフレームの第１貫通孔を連結し、制御パネルと制御部を連結するワイヤが挿入可能なワイヤの第１ガイド；及びパネルの第２貫通孔とフレームの第２貫通孔を連結し、制御パネルと制御部を連結するワイヤが挿入可能な第２ガイド；を含む。
【００２８】
さらに本発明は、上部パネルに固定されて第１チャンバーの外部に位置する支持フレーム；支持フレームを貫通する支持部の第１貫通孔及び支持部の第２貫通孔；第１チャンバーの上面を貫通して支持部の第１貫通孔の下部に位置する第１バー貫通孔；第１チャンバーの上面を貫通して支持部の第２貫通孔の下部に位置する第２バー貫通孔；支持部の第１貫通孔と第１バー貫通孔を連結し、支持フレームと第１チャンバーの間の間隔を維持するパイプ状の第１支持ボディ；支持部の第２貫通孔と第２バー貫通孔を連結し、支持フレームと第１チャンバーの間の間隔を維持するパイプ状の第２支持ボディ；一端は支持フレームに固定され、他端は第１支持ボディに挿入されて第１チャンバー内に位置する第１連結部；一端は支持フレームに固定され、他端は第２支持ボディに挿入されて第１チャンバー内に位置する第２連結部；及び一端は第１連結部に固定され、他端は第２連結部に固定されて衣類が支持される支持バー；を含む。
【００２９】
さらに本発明は、支持フレームに備えられ、支持バーを第１チャンバーの幅方向に沿って往復させる駆動部；第２チャンバー内に備えられた制御部；及び支持フレームに備えられ、駆動部と制御部を連結するワイヤを第１チャンバーとキャビネットの間に形成された空間に導く支持フレームガイド；を含む。
【００３０】
さらに駆動部は、支持フレームに固定されたモーター；モーターにより時計方向に対する９０°未満の回転運動と、反時計方向に対する９０°未満の回転を繰り返す振動部；及び振動部の運動を支持バーの往復運動に変換する動力伝達部；を含む。
【００３１】
第１連結部は、支持フレームに回転自在に結合し、支持部の第１貫通孔の外部に位置する第１自由端及び第１チャンバー内に位置して支持バーの一端が固定される第２自由端が備えられた第１連結バー；を含み、第２連結部は、支持フレームに回転自在に結合し、支持部の第２貫通孔の外部に位置する第１自由端及び第１チャンバー内に位置して支持バーの他端が固定される第２自由端が備えられた第２連結バー；を含み、動力伝達部は、第１連結バーの第１自由端と第２連結バーの第１自由端を連結する伝達バー、該伝達バーに支持バーの往復運動の方向と直交する方向に沿って備えられたスロット、及び振動部に備えられて、スロットに挿入されるスロット突起；を含む。
【００３２】
下部パネルは、前面は前面パネルに固定され、後面は前方フレームに固定され、両側面は第１側面パネルと第２側面パネルに固定される第１下部パネル；及び前面は第１下部パネルの後面に連結され、両側面は第１側面と第２側面に固定されて第２ベースの下部に位置する第２下部パネル；を含む。
【００３３】
さらに本発明は、第１側面パネルが提供する空間のうち、前方パネルが位置する方向に備えられた前方第１締結部；第２側面パネルが提供する空間のうち、前方パネルが位置する方向に備えられた前方第２締結部；上部パネルが提供する空間のうち、前方パネルが位置する方向に備えられた上部パネルの前方締結部；第１下部パネルが提供する空間のうち、前方パネルが位置する方向に備えられた下部パネルの前方締結部；前方パネルの縁部に備えられて前方第１締結部に嵌入結合する前方パネルの第１締結部；前方パネルの縁部に備えられて前方第２締結部に嵌入結合する前方パネルの第２締結部；前方パネルの縁部に備えられて上部パネルの前方締結部に嵌入結合する前方パネルの上部締結部；及び前方パネルの縁部に備えられて下部パネルの前方締結部に嵌入結合する前方パネルの下部締結部；を含む。
【００３４】
後方パネルは、第１側面パネル、第２側面パネル、上部パネル及び上部フレームの後面に結合する第１後方パネル；及び第１側面フレームの後面及び第２側面フレームの後面に着脱自在に結合し、第１後方パネルの下部に位置する第２後方パネル；を含む。
【００３５】
さらに本発明は、上部パネルのうち、後方パネルが位置する方向に備えられる上部パネルの後方締結部；第１側面パネルのうち、後方パネルが位置する方向及び下部パネルが位置する方向にそれぞれ備えられる後方第１締結部及び下部第１締結部；第２側面パネルのうち、後方パネルが位置する方向及び下部パネルが位置する方向にそれぞれ備えられる後方第２締結部及び下部第２締結部；第１後方パネルの縁部に備えられて上部パネルの後方締結部に嵌入結合する後方パネルの上部締結部；第１後方パネルの縁部に備えられて後方第１締結部に嵌入結合する後方パネルの第１締結部；第１後方パネルの縁部に備えられて後方第２締結部に嵌入結合する後方パネルの第２締結部；第１側面フレームの後方に備えられて後方第１締結部に嵌入結合するフレームの後方第１締結部；第１側面フレームの下方に備えられて下部第１締結部に嵌入結合するフレームの下部第１締結部；第２側面フレームの後方に備えられて後方第２締結部に嵌入結合するフレームの後方第２締結部；第２側面フレームの下方に備えられて下部第２締結部に嵌入結合するフレームの下部第２締結部；を含む。
【００３６】
さらに本発明は、第１後方パネルを貫通して発泡プラスチックが注入される注入口；を含む。
【００３７】
さらに本発明は、第１後方パネルを貫通してキャビネット内の気体を排出し、注入口の直径よりも小さい直径を有する排気孔；を含む。
〔発明の効果〕
【００３８】
本発明は外観を形成するキャビネットと衣類が収容される空間を提供するチャンバーの間に形成された空間に位置する断熱部が備えられた衣類処理装置を提供する。
【００３９】
本発明は断熱部がキャビネットとチャンバーの間に形成された空間に注入される発泡プラスチックで形成される衣類処理装置を提供する。
【００４０】
本発明はキャビネットとチャンバーの間に形成された空間に注入された発泡プラスチックがチャンバーの内部又はキャビネットの外部に漏出することを防止できる締結構造を有する衣類処理装置を提供する。
【００４１】
本発明はキャビネットとチャンバーの間に発泡プラスチックを注入することによりキャビネットが振動することを最小化する衣類処理装置を提供する。
【図面の簡単な説明】
【００４２】
【図１】本発明による衣類処理装置の一例を示す図である。
【図２】本発明に備えられた空気供給部の一例を示す図である。
【図３】本発明に備えられた水分供給部の一例を示す図である。
【図４−５】本発明に備えられた衣類支持部の一例を示す図である。
【図６】本発明に備えられたキャビネット、第１チャンバー形成部及び第２チャンバー形成部の一例を示す図である。
【図７−９】キャビネットを構成する上部パネル、第１側面パネル、第２側面パネル、下部パネル及び後方パネルの一例を示す図である。
【図１０−１２】第１チャンバー形成部の一例を示す図である。
【図１３】本発明に備えられた支持フレーム、第１支持ボディ及び第２支持ボディの一例を示す図である。
【図１４】第２チャンバー形成部の一例を示す図である。
【図１５−１７】キャビネット、第１チャンバー形成部及び第２チャンバー形成部の結合構造の一例を示す図である。
【発明を実施するための形態】
【００４３】
以下、添付する図面に基づいて本発明の好ましい実施例について詳しく説明する。以下に記載する装置の構成や制御方法は本発明の実施例を説明するためものであり、本発明の権利範囲を限定するものではない。また明細書全般において、同一の参照番号は同一の構成要素を示す。
【００４４】
図１に示すように、本発明による衣類処理装置１００は、外観を形成するキャビネット１と、キャビネット内に備えられて衣類が収容される空間を提供する第１チャンバー２９とを含む。図２に示すように、キャビネット内には第１チャンバーと分離された空間が形成され、第１チャンバーの下部に位置する第２チャンバー３９が備えられる。第２チャンバー３９内には第１チャンバー２９に水分と空気のうちのいずれかを供給する供給部７,８が備えられる。図２及び図３は空気供給部７及び水分供給部８を全て備える第２チャンバー３９の一例を示す図である。
【００４５】
図２に示すように、空気供給部７は、第２チャンバー３９に備えられた循環ダクト７１,７２,７４と、循環ダクトに流入した空気の除湿と加熱を順に行う熱交換部７７と、熱交換部で発生した凝縮水を第２チャンバー３９の外部に排出する集水部７９とを含む。
【００４６】
循環ダクトは、第１チャンバー２９に連通する吸気ダクト７１、第１チャンバー２９に連通する排気ダクト７２、及び吸気ダクトと排気ダクトを連結する連結ダクト７４を含む。
【００４７】
循環ダクトには、第１チャンバー２９の空気を吸気ダクト、連結ダクト及び排気ダクトに順に移動させるファン７４１が備えられるが、図２はファン７４１が連結ダクト７４に備えられた場合の一例を示している。
【００４８】
熱交換部７７は吸気ダクト７１に流入した空気を除湿し、除湿した空気を加熱できる装置であればよく、図２は熱交換部７７が加熱ポンプで形成された場合の一例を示している。
【００４９】
即ち、図２に示す熱交換部７７は、冷媒の循環流路を形成する冷媒管７７７、冷媒管に固定されて連結ダクト７４内に位置する第１熱交換器７７１、冷媒管に固定されて第１熱交換器７７１とファン７４１の間に位置する第２熱交換器７７３、冷媒管に沿って冷媒を２つの熱交換器７７１、７７３の間で循環させる圧縮機７７５、及び冷媒管の圧力を調節する圧力調節器(図示せず)を含む。圧縮機７７５と圧力調節器は循環ダクト７１，７２，７４の外部に位置する。
【００５０】
第１熱交換器７７１は吸気ダクト７１に流入した空気の熱を冷媒に伝達して空気を冷却させ、冷媒は蒸発させる蒸発器で形成される。この場合、空気に含まれた水分は第１熱交換器７７１の表面に沿って移動して連結ダクト７４の底面に集まる。
【００５１】
第２熱交換器７７３は圧縮機７７５を通過した冷媒が有する熱を第１熱交換器を通過した空気に伝達することにより、空気は加熱し、冷媒は凝縮させる凝縮器で形成される。
【００５２】
図３に示すように、循環ダクト７１，７２，７４及び圧縮機７７５は第２チャンバー３９内に備えられた取付ボディ７８に固定される。取付ボディ７８はキャビネット１の後面を形成する後方パネル１４の一部１４ｂがキャビネットから分離されたとき、第２チャンバー３９の外部に引き出されるように形成される。
【００５３】
ユーザは取付ボディ７８を第２チャンバー３９の外部に引き出すことにより、空気供給部７を第２チャンバーの外部に引き出すことができるので、取付ボディ７８は空気供給部７の点検を容易にする効果がある。さらに熱交換部７７を始めとする衣類処理装置１００に備えられた各種の装置を制御する制御部７８１も取付ボディ７８に備えられる。この場合、制御部７８１は後方パネルの一部１４ｂがキャビネット１から分離されたときに露出する位置に備えられることが好ましい。
【００５４】
図２に示すように、集水部７９は、第２チャンバー３９の外部に位置して水が貯蔵される空間を提供する集水タンク７９１、集水タンク７９１を貫通する集水タンク貫通孔、集水タンク貫通孔に挿入された第１排出管７９９ａ、第１熱交換器７７１から排出される凝縮水を循環ダクトの外部に排出する第２排出管７９９ｂ、及び第２排出管７９９ｂに排出された凝縮水を第１排出管７９９ａに移動させる排出ポンプ７９９からなる。
【００５５】
集水タンク７９１はキャビネット１の前面に着脱自在に設けられる。この場合、集水タンク貫通孔にはチェックバルブ７９７が備えられる。チェックバルブ７９７は第１排出管７９９ａが集水タンク貫通孔に挿入されることは許容し、集水タンク内の水が集水タンク貫通孔から排出されることは防止する。従って、集水タンク７９１がキャビネットの前面に結合されると、制御部７８１は排出ポンプ７９９により循環ダクト内の凝縮水を集水タンク７９１に移動させることができる。
【００５６】
集水タンク７９１の一面には内部に貯蔵された凝縮水を排出する排水孔７９３が設けられるが、図２は排水孔７９３が集水タンクの上面に設けられた場合の一例を示している。排水孔７９３は集水タンクに着脱自在に設けられた蓋７９５によって開閉される。
【００５７】
さらに空気供給部７は、本発明による衣類処理装置１００が設けられた室内空間の空気を除湿することもできる。このために、さらに空気供給部７は循環ダクト７１，７２，７４を第２チャンバー３９の外部に連通させる外気ダクト７６、吸気ダクト７１の開閉を制御する第１開閉部７１１及び外気ダクト７６の開閉を制御する第２開閉部７６１を含む。第１開閉部７１１及び第２開閉部７６１は制御部７８１によりぞれぞれのダクト７１，７６を開閉又は閉鎖する。
【００５８】
本発明に備えられた水分供給部８は加熱された水蒸気を第１チャンバーに供給するように備えられ、未加熱の水蒸気(ミストなど)を第１チャンバーに供給するように備えられることもできる。図３は水分供給部８が水を加熱することにより発生する蒸気(スチーム)を第１チャンバーに供給するように備えられた場合の一例を示している。
【００５９】
即ち、水分供給部８は、第２チャンバー３９に備えられてスチームを生成するスチーム発生器８１、スチーム発生器から供給されるスチームを第１チャンバー２９に排出する噴射部８４、及びスチーム発生器に水を供給する水供給部８６からなる。
【００６０】
スチーム発生器８１は、水が貯蔵される空間を提供する貯蔵部８１１と貯蔵部８１１内の水を加熱するヒーター８１３とを含む。貯蔵部８１１には水が流入する水供給口８１１ａと貯蔵部８１１内のスチームを排出するスチーム排出口８１１ｂとが備えられる。貯蔵部８１１は取付ボディ７８に固定され、連結ダクト７４に固定されることもできる。
【００６１】
噴射部８４は、一端が第１チャンバーの底面２９７に固定され、他端は第２チャンバー３９の上面に固定された噴射ボディ８４１、噴射ボディ８４１内にスチームを供給する供給管８４３、及び噴射ボディ８４１内のスチームを第１チャンバー２９に排出する噴射口８４７を含む。この場合、供給管８４３は連結管８４５を介してスチーム排出口８１１ｂに連結される。
【００６２】
循環ダクトが第２チャンバー３９の上面に形成された複数の貫通孔(第１チャンバーに連通する複数の孔)に着脱自在に設けられ、連結管８４５が十分に長く設計されると、本発明では取付ボディ７８を第２チャンバー３９から引き出すことにより空気供給部７及び水分供給部８を第２チャンバーの外部に引き出すことができる。
【００６３】
水供給部８６は第２チャンバー３９の外部に位置する供給タンク８６１と、供給タンク８６１内に貯蔵された水を貯蔵部８１１に供給する供給ポンプ８６９とを含む。
【００６４】
供給タンク８６１はキャビネット１の前面に着脱自在に設けられる。この場合、供給タンク８６１には供給タンクを貫通する供給タンク貫通孔及び供給タンク貫通孔を開閉するチェックバルブ８６７が備えられ、水供給部８６は供給タンク貫通孔に挿入される第１供給管８６９ａ、水供給口８１１ａに連結された第２供給管８６９ｂ及び第１供給管８６９ａに流入された水を第２供給管８６９ｂに移動させる供給ポンプ８６９を含む。
【００６５】
チェックバルブ８６７は第１供給管８６９ａが供給タンク貫通孔に挿入された場合のみに供給タンク貫通孔を開放する。従って、供給タンク８６１がキャビネットの前面に結合されると、制御部７８１は供給ポンプ８６９を介して貯蔵部８１１に水を供給することができる。
【００６６】
供給タンク８６１の一面には給水孔８６３が備えられるが、図３は給水孔８６３が供給タンクの上面に備えられた場合の一例を示している。給水孔８６３は供給タンクに着脱自在に設けられた蓋８６５によって開閉される。
【００６７】
図１に示すように、第１チャンバー２９には衣類が支持される空間を提供する衣類支持部が備えられるが、衣類支持部は第１支持部６ａと第２支持部６ｂのうちのいずれかを含む。
【００６８】
第１支持部６ａは第２チャンバー２９に着脱自在に固定された支持板と、支持板を貫通する支持板貫通孔とからなる。第２支持部６ｂはハンガーＨ１に備えられたフックＨ２が着脱自在に支持される支持バー６６と、支持バー６６の両端を第１チャンバー２９の上面に連結する第１連結部６２及び第２連結部６４と、支持バー６６が第１チャンバー２９の幅方向(Ｘ軸方向)に沿って動くようにする駆動部６７，６８，６９とを含む。
【００６９】
図２に示すように、第２支持部６ｂはキャビネット１の上面と第１チャンバー２９の上面の間に固定された支持フレーム６１に固定される。図４に示すように、支持フレーム６１には第１チャンバーの幅方向(Ｘ軸方向)に沿って互いに離隔する支持部の第１貫通孔６１１と支持部の第２貫通孔６１３とが備えられる。この場合、第１連結部６２は支持部の第１貫通孔６１１に設けられ、第２連結部６４は支持部の第２貫通孔６１３に設けられる。即ち、第１連結部６２は支持部の第１貫通孔６１１に挿入されて支持フレーム６１に固定された第１連結バー６２３で形成され、第２連結部６４は支持部の第２貫通孔６１３に挿入されて支持フレーム６１に固定された第２連結バー６４３で形成される。
【００７０】
第１連結バー６２３は支持部の第１貫通孔６１１に固定された第１固定部６２１に回転可能に結合し、第２連結バー６４３は支持部の第２貫通孔６１３に固定された第２固定部６４１に回転可能に結合される。
【００７１】
第１連結バー６２３の下端は第１チャンバー２９内に位置し、第１連結バー６２３の上端は支持フレーム６１の上部に位置しなければならないので、第１固定部６２１は上面と下面が開放された柱状に形成される。
【００７２】
同様に、第２連結バー６４３の下端は第１チャンバー２９内に位置し、第２連結バー６４３の上端は支持フレーム６１の上部に位置しなければならないので、第２固定部６４１も上面と下面が開放された柱状に形成される。
【００７３】
支持バー６６は一端が第１連結バー６２３の下端に固定され、他端は第２連結バー６４３の下端に固定される。支持バー６６にはハンガーのフックＨ２が着脱自在に収容されるハンガー溝６６１が設けられる。
【００７４】
駆動部６７，６８，６９は、支持フレーム６１に固定されたモーター６７、モーターによって時計方向に対する９０°未満の回転運動と反時計方向に対する９０°未満の回転を繰り返す振動部６８、及び振動部６８の運動を支持バーの往復運動に変換する動力伝達部６９を含む。
【００７５】
振動部６８は、モーター６７の上部に位置する第１ケース６８１、第１ケース６８１の対向する両側面にそれぞれ固定された第２ケース６８２及び第３ケース６８３を含む。図５の(ａ)に示すように、第１ケース６８１内にはモーターの回転軸６７１によって回転する主動ギア６８４ａ、手動ギアの対向する両側にそれぞれ設けられた第１従動ギア６８４ｂ及び第２従動ギア６８４ｃが備えられる。
【００７６】
第２ケース６８２には第１振動ボディが備えられ、第３ケース６８３内には第２振動ボディが備えられる。
【００７７】
第１振動ボディは、第２ケース６８２内に備えられて第１従動ギア６８４ｂにより回転する第１ギア６８５と、第１ギア６８５に固定された第１ウエート６８６とを含む。これと同様に、第２振動ボディは、第３ケース６８３内に備えられて第２従動ギア６８４ｃにより回転する第２ギア６８７と、第２ギア６８７に固定された第２ウエート６８８とを含む。第１ウエート６８６は第１ギア６８５の重心を第１ギア６８５の回転中心と第１ギアの縁部の間に位置させる手段であり、第２ウエート６８８は第２ギア６８７の重心を第２ギア６８７の回転中心と第２ギアの縁部の間に位置させる手段である。
【００７８】
図５は第１ウエート６８６及び第２ウエート６８８が半円状に形成された場合の一例を示す図である。この場合、第１ウエート６８６と第２ウエート６８８は互いに１８０°離隔した状態を維持する必要がある。即ち、第１ウエート６８６が＋Ｘ軸に向かうように第１ギア６８５に固定された場合、第２ウエート６８８は−Ｘ軸に向かうように第２ギア６８７に固定される。
【００７９】
動力伝達部６９は、振動部の第１ケース６８１の上部に位置して第１連結バー６２３と第２連結バー６４３を連結する伝達バー６９１、伝達バー６９１に備えられたスロット６９３、及び第１ケース６８１に備えられてスロット６９３に挿入されるスロット突起６９５を含む。スロット６９３は支持バー６６の運動方向と直交する方向(Ｚ軸方向)に沿って備えられ、スロット６９３の長さはスロット突起６９５のＺ軸方向の変位と同一であるか、或いはスロット突起６９５のＺ軸方向の変位よりも長く設定される。
【００８０】
図５の(ｂ)に示すように、上記構造を有する第２支持部６ｂは、モーターの回転軸６７１が反時計方向に回転すると、第１ウエート６８６及び第２ウエート６８８もギア６８４ａ，６８４ｂ，６８４ｃ，６８５，６８７により反時計方向に回転する。第１ウエート６８６の位置と第２ウエート６８８の位置は常に反対方向を向くように備えられているので、主動ギア６８４ａが回転すると、第１ケース６８１は９０°未満の時計方向の回転と９０°未満の反時計方向の回転を繰り返す。第１ケース６８１が９０°未満の角度に設定された時計方向の回転と反時計方向の回転を繰り返すと、第１ケースに備えられたスロット突起６９５は弧(ａｒｃ)に沿って往復運動する。
【００８１】
一方、スロット６９３の長さはスロット突起６９５のＺ軸変位よりも長く設定されるので、伝達バー６９１はスロット６９３の長手方向に直交する方向(Ｘ軸方向)に沿って往復する。第１チャンバー２９内に位置する支持バー６６は第１連結バー６２３及び第２連結バー６４３により伝達バー６９１に連結されているので、支持バー６６は第１チャンバーの幅方向に沿って往復運動する。従って、本発明は衣類を第１チャンバー２９内で振ることができ、これにより衣類についている汚物を衣類から分離することができる。また衣類を振りながら第１チャンバー２９に水分を供給すると、衣類のシワをより効果的に除去することができる。
【００８２】
図６に示すように、キャビネット１は上面及び両側面を形成するキャビネットボディ１１を含む。キャビネットボディ１１は衣類処理装置１００の上面を形成する上部パネル１１１、衣類処理装置の左側面と右側面を形成する第１側面パネル１１２及び第２側面パネル１１３を含む。上部パネル１１１、第１側面パネル１１２及び第２側面パネル１１３は一体に備えることもでき、互いに組み合わせにより１つのキャビネットボディ１１を形成することもできる。図６は上部パネル、第１側面パネル及び第２側面パネルが一体に備えられた場合の一例を示している。
【００８３】
キャビネット１はキャビネットボディ１１に結合して衣類処理装置１００の底面を形成する下部パネル１６及びキャビネットボディ１１に結合して衣類処理装置の後面を形成する後方パネル１４を含む。
【００８４】
キャビネット１内には第１チャンバー２９を形成する第１チャンバー形成部２及び第２チャンバー３９を形成する第２チャンバー形成部３が備えられる。
【００８５】
第１チャンバー形成部２は、キャビネット１に固定されてキャビネットの前面に位置する第１ベース２１、第１ベースを貫通して第２チャンバー２９に連通する投入口２２、投入口の下部に位置して集水タンク７９１及び供給タンク８６１が収容される空間を提供するタンク取付部２３、及びタンク取付部の下部に位置して外気ダクト７６に連結される第１外気吸入口２４を含む。
【００８６】
第２チャンバー形成部３は第１チャンバー２９の下部に第２チャンバー３９を形成する第２ベース３１，３２，３４，３６からなる。即ち、第２ベースは第１ベース２１と後方パネル１４の間に位置する前方フレーム３２、前方フレーム３２から後方パネル１４に向かって延びて第１チャンバー２９の底面と離隔した状態を維持する上部フレーム３１、２つのフレーム３１、３２に固定されて第１側面パネル１１２と離隔した状態を維持する第１側面フレーム３４及び２つのフレーム３１、３２に固定されて第２側面パネル１１３と離隔した状態を維持する第２側面フレーム３６を含む。この場合、第２チャンバー３９は前方フレーム３２、上部フレーム３１、第１側面フレーム３４、第２側面フレーム３４、下部パネル１６及び後方パネル１４により形成される。
【００８７】
後方パネル１６はキャビネットの上部の後面を形成する第１後方パネル１４ａと、第１後方パネルの下部に位置してキャビネットの下部の後面を形成する第２後方パネル１４ｂとからなる。第１後方パネル１４ａは第１チャンバー２９の後方に位置し、第２後方パネル１４ｂは第２チャンバー３９の後面を形成する。
【００８８】
下部パネル１６は脚部１８、１９が支持される第１下部パネル１６ａと、第１下部パネル１６ａに連結された第２下部パネル１６ｂとを含む。
【００８９】
第１下部パネル１６ａは前面が第１ベース２１に固定され、後面は第２ベースの前方フレーム３２に固定され、両側面は第１側面パネル１１２の下端と第２側面パネル１１３の下端に固定される。従って、第１下部パネル１６ａは前方パネル２１１と前方フレーム３２の間の間隔を維持することができる。
【００９０】
第２下部パネル１６ｂは第２ベース３１，３２，３４，３６の下部に位置するが、前面は第１下部パネル１６ａの後面に連結され、両側面は第１側面フレーム３４の下面及び第２側面フレームの下面にそれぞれ固定される。但し、第２下部パネル１６ｂの両側面は第１側面パネル１１２と第２側面パネル１１３にそれぞれ固定されてもよい。
【００９１】
第１下部パネル１６ａには衣類処理装置１００を室内空間の底面に支持する第１脚部１８及び第２脚部１９が固定され、第２下部パネル１６ｂには衣類処理装置の移動を容易にするローラ１６８が備えられる。この場合、第２チャンバー３９は前方フレーム３２、上部フレーム３１、第１側面フレーム３４、第２側面フレーム３４、第２下部パネル１６ｂ及び第２後方パネル１４ｂにより形成される。
【００９２】
第１脚部１８と第２脚部１９は衣類処理装置が設けられる設置空間の底面と第１下部パネル１６ａの間の間隔を調節できる構造に形成され、後方パネル１４ｂには第２チャンバー３９内を外部に連通させる連通孔１４２が備えられる。
【００９３】
図７に示すように、上部パネル１１１の前方、第１側面パネル１１２の前方及び第２側面パネル１１３の前方には上部パネルの前方締結部１１４、前方第１締結部１１６ａ及び前方第２締結部１１８ａがそれぞれ備えられる。第１ベース２１の上端及び両側面は上部パネルの前方締結部１１４、前方第１締結部１１６ａ及び前方第２締結部１１８ａによりキャビネット１に結合する。
【００９４】
上部パネル１１１の後方、第１側面パネル１１２の後方及び第２側面パネル１１３の後方には上部パネルの後方締結部１１５、後方第１締結部１１６ｂ及び後方第２締結部１１８ｂが備えられる。図８に示すように、第１後方パネル１４ａには上部パネルの後方締結部１１５に結合する後方パネルの上部締結部１４５、後方第１締結部１１６ｂに結合する後方パネルの第１締結部１４７及び後方第２締結部１１８ｂに結合する後方パネルの第２締結部１４９が備えられる。一方、第１後方パネル１４ａの下端は後方パネルの下部締結部１４８により第２チャンバー形成部を構成する上部フレーム３１の後面に固定される。
【００９５】
一方、第２ベース３１，３２，３３，３４の後面３４３，３６３は後方第１締結部１１６ｂ及び後方第２締結部１１８ｂによりキャビネット１に固定され、第２後方パネル１４ｂは第２ベースの後面３４３，３６３にベース締結部１４６により着脱自在に結合することができる。ベース締結部１４６としては第２後方パネル１４ｂを第２ベースの後面３４３，３６３に固定するボルトが挙げられる。
【００９６】
図９に示すように、第１側面パネル１１２の下部及び第２側面パネル１１３の下部には下部第１締結部１１６ｃ及び下部第２締結部１１８ｃがそれぞれ備えられる。第１下部パネル１６ａ及び第２ベースの底面３４７、３６７は下部第１締結部１１６ｃ及び下部第２締結部１１８ｃによりキャビネットに固定される。
【００９７】
即ち、第１下部パネル１６ａは、パネルボディ１６１、パネルボディ１６１の前面に備えられて第１ベース２１の下端に結合する下部パネルの前方締結部１６２、パネルボディ１６１の後面に備えられて第２チャンバー形成部の前方フレーム３２に固定される前方フレームの締結部１６５、パネルボディ１６１の一側に備えられて下部第１締結部１１６ｃに結合する下部パネルの第１締結部１６７、及びパネルボディ１６１の他側に備えられて下部第２締結部１１８ｃに結合する下部パネルの第２締結部１６９を含む。
【００９８】
第２下部パネル１６ｂの一端はパネルボディ１６１に備えられたパネル連結部１６３に連結される。パネル連結部１６３はパネルボディ１６１の底面から突出して第２下部パネル１６ｂの前端が収容される空間を提供する突出板からなる。
【００９９】
図１０に示すように、第１チャンバー形成部２は、キャビネット１に固定されてキャビネットの前方に位置する第１ベース２１、第１ベースに固定されて衣類が収容される空間を提供する第２チャンバー２９、第１ベースを貫通して第２チャンバー２９に連通する投入口２２、第１ベースに備えられ、投入口の下部に位置するタンク取付部２３、及びタンク取付部２３の下部に備えられ、外気ダクト７６に連通する第１外気吸入口２４を含む。
【０１００】
第１ベース２１はキャビネット１の前面を形成する前方パネル２１１、前方パネルの縁部に沿って備えられる前方パネルの上部締結部２１３、前方パネルの第１締結部２１５、前方パネルの第２締結部２１７及び前方パネルの下部締結部２１９を含む。
【０１０１】
前方パネルの上部締結部２１３は上部パネルの前方締結部１１４に結合し、前方パネルの第１締結部２１５はキャビネットの前方第１締結部１１６ａに結合し、前方パネルの第２締結部２１７はキャビネットの前方第２締結部１１８ａに結合する。前方パネルの下部締結部２１９は下部パネルの前方締結部１６２に結合する。
【０１０２】
投入口２２は前方パネル２１１を貫通する貫通孔からなる。図７に示すように、第２チャンバー２９は、前方パネル２１１に固定されて投入口２２の上端に位置するチャンバーの上面２９１、前方パネル２１１に固定されて投入口２２の下端に位置するチャンバーの底面２９７、前方パネル２１１に固定されてチャンバー上面とチャンバー底面を連結するチャンバーの第１側面２９３及びチャンバーの第２側面２９５、４つの面２９１，２９３，２９５，２９７に固定されたチャンバーの後面２９８からなる。
【０１０３】
チャンバーの上面２９１には第２支持部６ｂに備えられた第１連結バー６２３が挿入される第１バー貫通孔２９１ａ及び第２連結バー６４３が挿入される第２バー貫通孔２９１ｂが設けられる。また、チャンバーの上面２９１には第１チャンバー２９内を照らすランプ２９９が取り付けられるランプ取付孔２９１ｃが設けられる。
【０１０４】
図１０に示すように、チャンバーの底面２９７にはチャンバーの第１貫通孔２９７ａ、チャンバーの第２貫通孔２９７ｂ及びチャンバーの第３貫通孔２９７ｃが設けられる。
【０１０５】
チャンバーの第１貫通孔２９７ａは第１チャンバー２９内の空気を第２チャンバー３９に備えられた吸気ダクト７１に供給する手段であり、チャンバーの第２貫通孔２９７ｂは第２チャンバー３９に備えられた排気ダクト７２から排出される空気を第１チャンバー２９に流入させる手段である。チャンバーの第３貫通孔２９７ｃは噴射ボディ８４１の上面が固定される空間であり、噴射口８４７から排出されるスチームはチャンバーの第３貫通孔２９７ｃを介して第１チャンバー２９に供給される。
【０１０６】
投入口２２の下部に位置するタンク取付部２３は、前方パネル２１１の表面が第２チャンバー形成部３に向かって凹んで折り曲げられた溝からなる取付溝２３１で形成される。取付溝２３１は集水タンク７６１と供給タンク８６１が着脱自在に収容される空間を提供する。
【０１０７】
取付溝２３１には第２チャンバー３９に連通するように設けられた第２チャンバー連通孔２３３が備えられる。空気供給部に備えられた第１排出管７９９ａ及び水分供給部に備えられた第１供給管８６９ａは、第２チャンバー連通孔２３３を介してそれぞれタンク７９１，８６１に結合する。
【０１０８】
図７に示すように、第２チャンバー連通孔２３３は前方パネル２１１に着脱自在に固定される連通孔カバー２３５によって開閉される。この場合、第１排出管７９９ａ及び第１供給管８６９ａは連通孔カバー２３５を貫通する。
【０１０９】
投入口２２及びタンク取付部２３は第１ベース２１及びキャビネット１のうちのいずれかに回転可能に結合されたドア４によって開閉される。
【０１１０】
図６に示すように、ドア４は投入口２２とタンク取付部２３を同時に開放するか、又は同時に閉鎖する。このために、ドア４はキャビネット１の前面の形状に対応する形状に形成されたドアボディ４１からなる。ドアボディ４１は第１ヒンジ５２及び第２ヒンジ５８によりキャビネット１又は第１ベース２１に回転可能に固定される。
【０１１１】
図６は第１ヒンジ５２及び第２ヒンジ５８がドアボディ４１を第１ベース２１に固定する場合の一例を示している。この場合、第１ヒンジ５２は投入口２２の上部に位置し、第２ヒンジ５８はタンク取付部２３の下部に位置する。
【０１１２】
さらにドア４はドアボディ４１に固定される制御パネル４３を含む。制御パネル４３にはユーザから制御命令が入力される入力部４３３，４３５，４３７及びユーザが選択可能な制御命令及びユーザが選択した制御命令の実行過程などを表示する表示部４３１が設けられる。入力部は衣類処理装置１００に電力を供給する第１入力部４３３、ユーザから制御命令が入力される第２入力部４３５、第２入力部で選択された制御命令の開始命令が入力される第３入力部４３７を含む。
【０１１３】
図６及び図７に示すように、制御パネル４３は第１ワイヤにより第２チャンバー３９に備えられた制御部７８１に連結される。第１ワイヤは制御パネル４３に連結された制御パネルの連結線Ｌ１３及び制御部７８１と制御パネルの連結線Ｌ１３を連結する第１制御線Ｌ１１からなる。組み立てを容易にするために、制御パネルの連結線Ｌ１３と第１制御線Ｌ１１は互いに着脱自在に設けられる。
【０１１４】
図６に示すように、第１ヒンジ５２及び第２ヒンジ５８は前方パネル２１１の右上端と右下端にそれぞれ設けられて、ドアボディ４１が前方パネルの右側に形成された回転軸で回転することができ、前方パネル２１１の左上端と左下端にそれぞれ設けられて、ドアボディ４１が前方パネルの左側に位置する回転軸で回転することもできる。
【０１１５】
このために、図１０に示すように、前方パネル２１１には、第１ヒンジ５２が設けられる空間を提供する第１取付部２６及び第２ヒンジ５８が設けられる空間を提供する第２取付部２７が備えられる。
【０１１６】
第１取付部２６は投入口２２の上部に位置する前方パネル２２１が後方パネル１４に向かって凹んで折り曲げられた溝からなり、第２取付部２７は取付溝２３１の下部に位置する前方パネル２２１が後方パネル１４に向かって凹んで折り曲げられた溝からなる。
【０１１７】
第１取付部２６の左側には第１ヒンジの第１取付部２６１が備えられ、第１取付部２６の右側には第１ヒンジの第２取付部２６３が備えられる。第１ヒンジ５２は、第１取付部２６に固定される第１ヒンジボディ５２１と、ドアボディを第１ヒンジボディ５２１に結合する回転軸５２３とを含む。第１ヒンジボディ５２１は第１ヒンジの中心を通過する水平線(Ｘ軸に平行な直線、Ｘ１)に対して対称である形状からなることが好ましい。これにより、第１ヒンジボディ５２１が第１ヒンジの第１取付部２６１、第１ヒンジの第２取付部２６３のいずれにも固定可能である。
【０１１８】
第２取付部２７の左側には第２ヒンジの第１取付部２７１が備えられ、第２取付部２７の右側には第２ヒンジの第２取付部２７３が備えられる。図９に示すように、第２ヒンジ５８は第２取付部２７に固定される第２ヒンジボディ５８１と、ドアボディを第２ヒンジボディ５８１に結合する回転軸５８３とを含む。第２ヒンジボディ５８３も第２ヒンジの中心を通過する水平線Ｘ２に対して対称である形状からなることが好ましい。
【０１１９】
本発明は第１ヒンジ５２が前方パネル２１１の上部空間に固定されるので、ドアボディ４１の荷重が増加するほど前方パネル２１１の破損危険も増加する。ドアボディ４１による前方パネル２１１の破損を防止するために、さらに本発明には第１ヒンジを支持する第１ヒンジブラケット５１及び第２ヒンジを支持する第２ヒンジブラケット５４，５６が備えられる。
【０１２０】
第１ヒンジブラケット５１は、前方パネル２１１に固定されてキャビネット１内に位置するブラケットボディ５１１、ブラケットボディに備えられて第１ヒンジの第１取付部２６１が収容される空間を提供するブラケットの第１収容部５１５、及びブラケットボディに備えられて第１ヒンジの第２取付部２６３が収容される空間を提供するブラケットの第２収容部５１７を含む。
【０１２１】
ブラケットの第１収容部５１５とブラケットの第２収容部５１７は、ブラケットボディ５１１の表面が第１取付部２６から離れる方向に凹んで折り曲げられた溝からなる。
【０１２２】
ブラケットボディ５１１は第１ヒンジ５２を第１取付部２６に固定する第１ヒンジ固定ボルト(図示せず)により第１取付部２６に固定される。即ち、第１ヒンジ固定ボルトは第１ヒンジ５２及び第１取付部２６を貫通してブラケットボディ５１１に固定される。
【０１２３】
ブラケットボディ５１１と第１取付部２６の結合を容易にするために、第１取付部２６には第１位置固定部２６５が備えられ、ブラケットボディ５１１には第１位置固定部２６５に締結される第２位置固定部５１３が備えられる。
【０１２４】
第１位置固定部２６５は第１取付部２６においてブラケットボディ５１１に向かって突出した突起からなり、第２位置固定部５１３はブラケットボディ５１１に備えられて第１位置固定部が挿入される貫通孔で形成される。
【０１２５】
図９に示すように、第２ヒンジブラケット５４，５６は、第２ヒンジの第１取付部２７１と第１下部パネル１６ａを連結する第２ヒンジの第１ブラケット５４、及び第２ヒンジの第２取付部２７３と第１下部パネル１６ａを連結する第２ヒンジの第２ブラケット５６を含む。
【０１２６】
第２ヒンジの第２ブラケット５６は、前方パネル２１１に固定されて第２ヒンジの第２取付部２７３と前方フレーム３２の間に位置する前方パネルの第２固定板５６１、及びパネルボディ１６１を前方パネルの第２固定板５６１に連結する下部パネルの第２固定板５６３を含む。同様に、第２ヒンジの第１ブラケット５４は、前方パネル２１１に固定されて第２ヒンジの第１取付部２７１と前方フレーム３２の間に位置する前方パネルの第１固定板５４１、及び前方パネルの第１固定板４４１とパネルボディ１６１を連結する下部パネルの第１固定板５４３を含む。第２ヒンジ５８は第２ヒンジ固定ボルト(図示せず)により前方パネルの第１固定板５４１に固定されることができ、前方パネルの第２固定板５６１に固定されることもできる。
【０１２７】
第２ヒンジブラケットが備えられる場合、第１脚部１８はパネルボディ１６１を貫通して下部パネルの第１固定板５４３に固定され、第２脚部１９はパネルボディ１６１を貫通して下部パネルの第２固定板５６３に固定される。
【０１２８】
図１１に示すように、本発明による衣類処理装置１００は、さらに第１取付部２６に着脱自在に固定される第１取付部カバー２６７を含む。
【０１２９】
第１取付部カバー２６７は、第１取付部２６に着脱自在に設けられて第１ヒンジの第１取付部２６１及び第１ヒンジの第２取付部２６３が露出することを防止する第１カバーボディ２６７ａ、及び第１カバーボディ２６７ａを貫通し、第１ヒンジ５２が挿入される第１ヒンジ貫通孔２６７ｂを含む。
【０１３０】
第１ヒンジ５２は第１ヒンジの第１取付部２６１や第１ヒンジの第２取付部２６３のうち、いずれにも固定可能であるので、第１カバーボディ２６７ａ及び第１ヒンジ貫通孔２６７ｂは第１カバーボディ２６７ａの中心及び第１ヒンジ貫通孔２６７ｂの中心を通過する水平線に対して対称である形状からなる必要がある。
【０１３１】
第１カバーボディ２６７ａは第１カバーの締結部により第１取付部２６に固定されるが、第１カバー締結部は、第１取付部２６と第１カバーボディ２６７ａのうちの一方に設けられた締結突起２６７ｄ及び第１取付部２６と第１カバーボディ２６７ａのうちの他方に設けられて締結突起が挿入される締結溝２６７ｃからなる。締結突起２６７ｄは締結溝２６７ｃに嵌合(ｔｉｇｈｔ ｆｉｔ)可能な形状に形成される。
【０１３２】
ドアボディ４１を第１カバーボディ２６７ａに着脱自在に固定するために、本発明による衣類処理装置１００では、さらに第１取付部カバー２６７に備えられる第１カバー磁石２６７ｅ及びドアボディ４１に備えられるドア第１磁性体４１１(図１を参考)を含む。第１カバーボディ２６７ａは金属のような磁性体からなり、ドア第１磁性体４１１は第１カバー磁石２６７ｅがドアボディ４１に投影された空間に位置するようにする永久磁石又は金属からなる。
【０１３３】
図１２に示すように、第２取付部２７には第２取付部カバー２７７が備えられる。第２取付部カバー２７７は、第２取付部２７１に着脱自在に設けられて第２ヒンジの第１取付部２７１及び第２ヒンジの第２取付部２７３が露出されることを防止する第２カバーボディ２７７ａ、及び第２カバーボディ２７７ａを貫通し、第２ヒンジ５８が挿入される第２ヒンジ貫通孔２７７ｂを含む。
【０１３４】
第２カバーボディ２７７ａは第２カバー締結部により第２取付部２７に固定される。第２カバー締結部は、第２取付部２７と第２カバーボディ２７７ａのうちの一方に設けられた締結突起２７７ｄ及び第２取付部２７と第２カバーボディ２７７ａのうちの他方に設けられて締結突起が嵌合される締結溝２７７ｃからなる。
【０１３５】
一方、第２取付部２７には循環ダクトに外気を供給する外気第１吸入口２４が備えられるので、第２取付部カバー２７７には第２カバーボディ２７７ａを貫通して第１外気吸入口２４に連通するカバー貫通孔２７９が設けられる必要がある。
【０１３６】
図示していないが、第２カバーボディ２７７ａ及び第２ヒンジ貫通孔２７７ｂは第２カバーボディ２７７ａの中心、カバー貫通孔２７９の中心及び第２ヒンジ貫通孔２７７ｂの中心を通過する水平線に対して対称である形状からなる。
【０１３７】
前方パネル２１１が提供する空間のうち、投入口２２とタンク取付部２３の間にはさらに第３取付部２８及び第３取付部２８に固定される第３取付部カバー２８１が備えられる。
【０１３８】
第３取付部２８は前方パネル２１１が凹んで折り曲げられた溝からなり、第３取付部カバー２８１は第３取付部２８に嵌合される第３カバーボディ２８１ａからなる。即ち、第３カバーボディ２８１ａは締結溝２８１ｂに嵌合される締結突起２８１ｃで構成された第３カバー締結部を介して第３取付部２８に固定される。締結溝２８１ｂは第３カバーボディ２８１ａと第３取付部２８のうちの一方に設けられ、締結突起２８１ｃは第３カバーボディ２８１ａと第３取付部２８のうちの他方に設けられる。
【０１３９】
ドアボディ４１を第３取付部カバー２８１に着脱自在に固定するために、本発明ではさらに第３カバーボディ２８１ａに固定された第３カバー磁石２８１ｄ及びドアボディ４１に備えられるドア第２磁性体４１３(図１を参考)を含む。第３カバーボディ２８１ａは金属のような磁性体からなり、ドア第２磁性体４１３は第３カバー磁石２８１ｄがドアボディ４１に投影された空間に位置する永久磁石又は金属からなる。
【０１４０】
図１３に示すように、支持フレーム６１は上部パネル１１１を貫通する貫通孔１１１ａ、第１支持ボディ９１及び第２支持ボディ９２によりキャビネット１に固定される。
【０１４１】
貫通孔１１１ａは支持フレーム６１の縁部を支持できる如何なる形状であってもよく、支持フレーム６１は支持フレームを貫通して上部パネル１１１に固定されるボルトなどの締結手段によってキャビネット１に固定される。
【０１４２】
第１支持ボディ９１は支持フレーム６１を貫通する支持部の第１貫通孔６１１と第１チャンバーの上面２９１に形成された第１バー貫通孔２９１ａを連結するパイプからなり、第２支持ボディ９２は支持部の第２貫通孔６１３と第２バー貫通孔２９１ｂを連結するパイプからなる。従って、第１連結バー６２３と第２連結バー６４３は第１支持ボディ９１と第２支持ボディ９２のそれぞれに備えられたボディ貫通孔に挿入されることにより、一端は第１チャンバー２９に露出され、他端は支持フレーム６１の上部に露出される。また支持フレーム６１と第１チャンバー上面２９１の間の間隔は第１支持ボディ９１と第２支持ボディ９２により維持される。
【０１４３】
さらに支持フレーム６１には、第２支持部に備えられたモーター６７と制御部７８１を連結する第２ワイヤを第１チャンバー２９とキャビネット１の間に形成された空間に導く支持フレームガイド６１５が設けられる。第２ワイヤはモーター６７に備えられた駆動部連結線Ｌ３３及び第２チャンバーに備えられた制御部７８１に連結される第２制御線Ｌ３１からなる。
【０１４４】
さらに支持フレーム６１には、ランプ２９９に備えられたランプ連結線Ｌ５３が貫通する支持フレーム貫通孔が設けられる。ランプ連結線Ｌ５３は制御部７８１に連結された第３制御線Ｌ５１に連結される。この場合、支持フレームガイド６１５は第２ワイヤＬ３１，Ｌ３３及び第３ワイヤＬ５１，Ｌ５３を第１チャンバー２９とキャビネット１の間に形成された空間に導く手段である。
【０１４５】
図１４は本発明に備えられた第２チャンバー形成部３の一例を示す図である。図１４に示すように、前方パネル２１１にはタンク取付部に形成された第２チャンバー連通孔２３３に連通する取付溝連通孔３２１が設けられる。第２チャンバー連通孔２３３は取付溝２３１が取付溝連通孔３２１に挿入されることにより第２チャンバー３９内に連通される。また第２チャンバー連通孔２３３と取付溝連通孔３２１は、前方パネル２１１と前方フレーム３２がボルトなどの締結部材により固定されることにより互いに連結されることができる。
【０１４６】
また前方パネル２１１には第１外気吸入口２４に連通する第２外気吸入口３２３が設けられる。第１外気吸入口２４が取付溝２３１の下部に位置する場合、第２外気吸入口３２３は取付溝連通孔３２１の下部に位置する。空気供給部に備えられた外気ダクト７６は第２外気吸入口３２３を吸気ダクト７１又は連結ダクト７４に連結する。
【０１４７】
第１外気吸入口２４と第２外気吸入口３２３は外気ガイド９５により連結される。図９に示すように、外気ガイド９５は、一端が前方パネル２１１に固定され、他端は前方フレーム３２に固定されるガイドボディ９５１、及びガイドボディ９５１を貫通してこれらの２つの外気吸入口２４，３２３を連結するガイド貫通孔９５３からなる。ガイドボディ９５１は前方パネル２１１と前方フレーム３２の間の間隔を維持する手段である。
【０１４８】
ドア４がユーザの選択によってヒンジ５２、５８の位置が選択できる場合、図７に示すように、前方パネル２１１にはパネルの第１貫通孔２５１及びパネルの第２貫通孔２５３が備えられ、前方フレーム３２にはフレームの第１貫通孔３２５及びフレームの第２貫通孔３２７が備えられる。
【０１４９】
パネルの第１貫通孔２５１は、前方パネル２１１が提供する空間のうち、第２ヒンジの第１取付部２７１が位置する方向に位置し、パネルの第２貫通孔２５３は第２ヒンジの第２取付部２７３が位置する方向に備えられる。
【０１５０】
フレームの第１貫通孔３２５はワイヤの第１ガイド９６によりパネルの第１貫通孔２５１に連結され、フレームの第２貫通孔３２７はワイヤの第２ガイド９７によりパネルの第２貫通孔２５３に連結される。ワイヤの第１ガイド９６とワイヤの第２ガイド９７は、前方パネル２１１と前方フレーム３２の間に位置してパネル貫通孔２５１，２５３をフレーム貫通孔３２５，３２７に連結するパイプからなる。
【０１５１】
従って、ヒンジ５２，５８が前方パネル２１１の左側に固定された場合、第１制御線Ｌ１１と制御パネル連結線Ｌ１３はパネルの第１貫通孔２５１、ワイヤの第１ガイド９６及びフレームの第１貫通孔３２５に挿入されることにより互いに連結される。逆に、ヒンジ５２，５８が前方パネル２１１の右側に固定される場合には、第１制御線Ｌ１１と制御パネル連結線Ｌ１３はパネルの第２貫通孔２５３、ワイヤの第２ガイド９７及びフレームの第２貫通孔３２７に挿入されることにより互いに連結される。
【０１５２】
ドアが前方パネル２１１の左側と右側のうちの一方のみに設けられる場合は、パネル貫通孔、フレーム貫通孔及びワイヤガイドは１つずつ備えればよい。
【０１５３】
一方、図９に示すように、第２ヒンジの第１ブラケット５４と第２ヒンジの第２ブラケット５６がワイヤの第１ガイド９６及びワイヤの第２ガイド９７に干渉されることを防止するために、第２ヒンジの第１ブラケット５４にはワイヤの第１ガイド貫通孔５４５が設けられ、第２ヒンジの第２ブラケット５６にはワイヤの第２ガイド貫通孔５６５が設けられる。ワイヤの第２ガイド貫通孔５６５は前方パネルの第２固定板５６１を貫通する孔からなり、ワイヤの第１ガイド貫通孔５４５は前方パネルの第１固定板５４１を貫通する孔からなる。
【０１５４】
ドアが前方パネル２１１の左側や右側のうちの一方のみに設けられる場合は、パネル貫通孔、フレーム貫通孔及びワイヤガイドは一つずつ備えればよい。
【０１５５】
図１４に示すように、上部フレーム３１には吸気ダクト７１が着脱自在に連結される第１固定孔３１１、排気ダクト７２が着脱自在に連結される第２固定孔３１３、及び噴射部８４の供給管８４３が挿入される供給管貫通孔３１７が設けられる。
【０１５６】
第１固定孔３１１と第１チャンバーの底面に設けられたチャンバーの第１貫通孔２９７ａは第１流路形成部９３により互いに連結され、第２固定孔３１３とチャンバーの第２貫通孔２９７ｂは第２流路形成部９４により互いに連結される。
【０１５７】
第１流路形成部９３は、第１チャンバーの底面２９７と上部フレーム３１の間の間隔を維持するために設けられた第１流路ボディ９３１、及び第１流路ボディ９３１を貫通してチャンバーの第１貫通孔２９７ａと第１固定孔３１１を連結する第１ボディ貫通孔９３３を含む。第２流路形成部９４は、第１チャンバーの底面２９７と上部フレーム３１の間の間隔を維持するために設けられた第２流路ボディ９４１、及び第２流路ボディ９４１を貫通してチャンバーの第２貫通孔２９７ｂと第２固定孔３１３を連結する第２ボディ貫通孔９４３を含む。
【０１５８】
供給管貫通孔３１７は上部フレーム３１が第１チャンバーの底面２９７に向かって突出することにより形成される収容部３１５に連通する。この場合、収容部３１５は第２チャンバー３９の上端に位置する。
【０１５９】
供給管８４３の自由端は収容部３１５の外部に露出しない長さを有することが好ましい。衣類処理装置１００の製作時、第２チャンバー３９内には衣類処理装置の制作に必要な装置が挿入されるが、供給管８４３の自由端が収容部３１５の高さ(Ｙ軸方向の長さ)よりも長く形成されると、衣類処理装置の製作中に供給管８４３が破損する恐れがあるためである。
【０１６０】
上部フレーム３１の後方にはチャンバー底面２９８に向かって折り曲げられた第２下部パネル締結部３１９が備えられ、第２後方パネル１４ｂの下端は第２下部パネル締結部３１９にボルトなどで固定される。
【０１６１】
第１側面フレーム３４とキャビネットに備えられた第１側面パネル１１２は第１スペーサー３４３、３４７により互いに離隔した状態を維持し、第２側面フレーム３６と第２側面パネル１１３は第２スペーサー３６３、３６７により互いに離隔した状態を維持する。
【０１６２】
第１スペーサーは、第１側面フレーム３４の後端から第１側面パネル１１２に向かって延びる後方パネルの第１支持部３４３、及び第１側面フレーム３４の下端から第１側面パネル１１２に向かって延びる下部パネルの第１支持部３４７を含む。第２スペーサーは、第２側面フレーム３６の後端から第２側面パネル１１３に向かって延びる後方パネルの第２支持部３６３、及び第２側面フレーム３６の下端から第２側面パネル１１３に向かって延びる下部パネルの第２支持部３６７を含む。
【０１６３】
後方パネルの第１支持部３４３と下部パネルの第１支持部３４７は互いに連結されてＬ字状に形成され、後方パネルの第２支持部３６３と下部パネルの第２支持部３６７は互いに連結されてＬ字状に形成される。これにより、第１側面フレーム３４及び第２側面フレーム３６の強度を高めることができる。
【０１６４】
第２後方パネル１４ｂは後方パネルの第１支持部３４３及び後方パネルの第２支持部３６３に着脱自在に固定され、第２下部パネル１６ｂは下部パネルの第１支持部３４７及び下部パネルの第２支持部３６７に着脱自在に固定される。
【０１６５】
後方パネルの第１支持部３４３にはフレームの後方第１締結部３４４が設けられ、下部パネルの第１支持部３４７にはフレームの下部第１締結部３４９が設けられる。フレームの後方第１締結部３４４は後方パネルの第１支持部３４３の自由端が前方フレーム３２に向かって折り曲げられることにより形成され、フレームの下部第１締結部３４９は下部パネルの第１支持部３４７の自由端が上部フレーム３１に向かって折り曲げられることにより形成される。
【０１６６】
フレームの後方第１締結部３４４は第１側面パネル１１２に備えられた後方第１締結部１１６ｂに結合し、フレームの下部第１締結部３４９は第１側面パネルの下部第１締結部１１６ｃに結合する。
【０１６７】
後方パネルの第２支持部３６３にはフレームの後方第２締結部３６４が設けられ、下部パネルの第２支持部３６７にはフレームの下部第２締結部３６９が設けられる。フレームの後方第２締結部３６４は後方パネルの第２支持部３６３の自由端が前方フレーム３２に向かって折り曲げられることにより形成され、フレームの下部第２締結部３６９は下部パネルの第２支持部３６７の自由端が上部フレーム３１に向かって折り曲げられることにより形成される。
【０１６８】
フレームの後方第２締結部３６４は第１側面パネル１１２の後方第２締結部１１８ｂに結合し、フレームの下部第２締結部３６９は第１側面パネルの下部第２締結部１１８ｃに結合する。
【０１６９】
以下、図１５乃至図１７を参考しながら、上記構造を有する衣類処理装置の組み立て過程について説明する。
【０１７０】
図１５に示すように、本発明による衣類処理装置１００の組み立てのために、まず作業者はキャビネットボディ１１と第１チャンバー形成部２を組み立てる。即ち、作業者は前方パネル２１１に備えられた前方パネル上部締結部２１３をキャビネットボディ１１に備えられた上部パネル前方締結部１１４に結合し、前方パネルの第１締結部２１５と前方パネルの第２締結部２１７をそれぞれ前方第１締結部１１６ａと前方第２締結部１１８ａに結合することにより、前方パネル２１１をキャビネットボディ１１に結合する。
【０１７１】
前方パネル２１１の上端及び両側面がキャビネットボディ１１の上部パネル及び両側面パネルに結合すると、作業者は第１下部パネル１６ａをキャビネットボディ１１及び前方パネル２１１に結合する。
【０１７２】
図１６に示すように、第１下部パネル１６ａはパネルボディ１６１の両側面に備えられた下部パネルの第１締結部１６７及び下部パネルの第２締結部１６９が各々の側面パネル１１２、１１３の下面に備えられた下部第１締結部１１６ｃ及び下部第２締結部１１８ｃに結合することによりキャビネットボディ１１に固定される。
【０１７３】
一方、パネルボディ１６１の前方には前方パネル２１１の下端に位置する前方パネルの下部締結部２１９に結合する下部パネルの前方締結部１６２が備えられるので、第１下部パネル１６ａは下部パネルの前方締結部１６２及び前方パネルの下部締結部２１９により前方パネル２１１の下端に固定される(図９を参考)。
【０１７４】
第１下部パネル１６ａが固定されると、作業者は第２チャンバー形成部３をキャビネットボディ１１に組み立てることができる。
【０１７５】
図１６に示すように、作業者は第２チャンバー形成部３の後面に備えられたフレームの後方第１締結部３４４を第１側面パネルの後面に形成された後方第１締結部１１６ｂに結合し、第２チャンバー形成部３の後面に備えられたフレームの後方第２締結部３６４を第２側面パネルの後面に形成された後方第２締結部１１８ｂに結合することができる。
【０１７６】
また作業者は第２チャンバー形成部３の底面に備えられたフレームの下部第１締結部３４９とフレームの下部第２締結部３６９を各々の側面パネルの下面に形成された下部第１締結部１１６ｃと下部第２締結部１１８ｃに結合することができる。
【０１７７】
キャビネットボディ１１、第１チャンバー形成部２、第２チャンバー形成部３及び下部パネル１６が組み立てられると、作業者は第２下部パネル１６ｂを第２チャンバー形成部３の底面に固定する。第２下部パネル１６ｂは第２チャンバー形成部の下部パネルの第１支持部３４７及び下部パネルの第２支持部３６７にボルトなどで固定される。
【０１７８】
その後、作業者は第１後方パネル１４ａをキャビネットボディ１１に結合する。図１５に示すように、第１後方パネル１４ａは後方パネルの上部締結部１４５、後方パネルの第１締結部１４７及び後方パネルの第２締結部１４９によりキャビネットボディ１１に結合される。
【０１７９】
即ち、後方パネルの上部締結部１４５がキャビネットボディの上部パネルの後方締結部１１５に結合し、後方パネルの第１締結部１４７が後方第１締結部１１６ｂに結合し、後方パネルの第２締結部１４９が後方第２締結部１１８ｂに結合すると、第１後方パネル１４ａはキャビネットボディ１１に固定される。また第１後方パネル１４ａの下端は上部フレーム３１の後面に備えられた第２下部パネル締結部３１９に固定される。
【０１８０】
第１後方パネル１４ａの組み立てが完了すると、作業者は第２後方パネル１４ｂを第２チャンバー形成部３に固定する。図１６に示すように、第２後方パネル１４ｂは後方パネルの第１支持部３４３及び後方パネルの第２支持部３６３にボルトなどにより固定される。
【０１８１】
図１５に示すように、上記過程を通じて、上部パネル１１１とチャンバー上面２９１の間には上部空間Ｓ１が形成され、第１側面パネル１１２とチャンバーの第１側面２９３の間には第１側面空間Ｓ２が形成され、第２側面パネル１１３とチャンバーの第２側面２３９５の間には第２側面空間Ｓ３が形成され、第１後方パネル１４ａとチャンバー後面２９８の間には後方空間Ｓ４が形成される。上部空間Ｓ１、第１側面空間Ｓ２、第２側面空間Ｓ３及び後方空間Ｓ４は互いに連結された状態を維持する。
【０１８２】
図１６に示すように、第１側面パネル１１２と第１側面フレーム３２の間には第１側面空間Ｓ２に連結される第１連結空間Ｓ５が形成され、第２側面パネル１１３と第２側面フレーム３６の間には第２側面空間に連結される第２連結空間Ｓ６が形成され、また前方パネル１１と前方フレーム３１の間には前方空間Ｓ７が形成される。
【０１８３】
また、上部フレーム３１、第１チャンバーのチャンバー底面２９７、第１側面パネル１１２、第２側面パネル１１３及び第１後方パネル１４ａにより、第３連結空間Ｓ８(図３を参考)が形成される。第３連結空間Ｓ８の前方は前方空間Ｓ７に連結され、第３連結空間Ｓ８の両側面は第１連結空間Ｓ５及び第２連結空間Ｓ６にそれぞれ連結され、第３連結空間Ｓ８の後方は後方空間Ｓ４に連結される。
【０１８４】
第１連結空間Ｓ５、第２連結空間Ｓ６、第３連結空間及び前方空間Ｓ７も互いに連結された状態を維持する。従って、キャビネット１、第１チャンバー２９及び第２チャンバー形成部３の間に形成された空間Ｓ１，Ｓ２，Ｓ３，Ｓ４，Ｓ５，Ｓ６，Ｓ７，Ｓ８は互いに連結された１つの空間を形成する。
【０１８５】
この発泡空間Ｓ１，Ｓ２，Ｓ３，Ｓ４，Ｓ５，Ｓ６，Ｓ７，Ｓ８に発泡プラスチック(ｆｏｒｍｅｄ ｐｌａｓｔｉｃ)を供給するために、第１後方パネル１４ａには注入口が設けられ。図１７に示すように、注入口は、第１後方パネル１４ａを貫通して第１側面空間Ｓ２に連通する第１注入口１４１、及び第１後方パネル１４ａを貫通して第２側面空間Ｓ３に連通する第２注入口１４２からなる。
【０１８６】
第１注入口１４１と第２注入口１４２は第１後方パネル１４ａの縁部に連結される貫通孔からなる。第１注入口１４１と第２注入口１４２から注入される発泡プラスチックは、チャンバーの第１側面２９３とチャンバーの第２側面２９５に沿って第１側面空間Ｓ２と第２側面空間Ｓ３の下部に導かれる。即ち、チャンバー後面２９８が第１後方パネル１４ａに投影されることにより形成される投影面は第１注入口１４１及び第２注入口１４２に干渉されるように形成される。
【０１８７】
発泡プラスチックは多孔質構造(ｐｏｒｏｕｓ ｓｔｒｕｃｔｕｒｅ)の合成樹脂を意味し、合成樹脂に形成される多孔性構造は発泡剤(ｆｏｒｍｉｎｇ ａｇｅｎｔ)により形成される。発泡プラスチックは軽量性、緩衝性、防音性、断熱性などを与える機能性複合素材であり、発泡プラスチックの原料となる合成樹脂はポリウレタン(Ｐｏｌｙｕｒｅｔｈａｎｅ)、ポリスチレン(Ｐｏｌｙｓｔｙｒｅｎｅ)、ポリオレフィン(Ｐｏｌｙｏｌｅｆｉｎ)のうちのいずれかである。上述した合成樹脂以外にも、フェノール樹脂、ポリ塩化ビニル、ウレア樹脂、シリコン、ポリイミド及びメラミン樹脂なども発泡プラスチックとして使用できる。
【０１８８】
ポリウレタンをフォーム(Ｆｏａｍ)形態に変化するためにポリウレタン樹脂内に混入される発泡剤は通常化学的発泡剤と物理的発泡剤に区別される。化学的発泡剤は化学反応により気泡を形成し、物理的発泡剤は圧縮ガスの物理的な状態変化や液体の相変化(気化など)により気泡を形成する。
【０１８９】
さらに第１後方パネル１４ａには多数の排気孔１４３が設けられる。液体状態の発泡プラスチックが第１注入口１４１と第２注入口１４２により空間Ｓ１，Ｓ２，Ｓ３，Ｓ４，Ｓ５，Ｓ６，Ｓ７，Ｓ８に注入されると、空間は発泡プラスチックが固体化する過程で発生するガスで満たされる。排気孔１４３は空間の空気及びガスをキャビネット１の外部に排出する手段である。本発明では排気孔１４３を設けることにより、キャビネットボディ１１がガスにより膨らむか又は破損することを防止することができる。排気孔１４３の直径は注入口１４１，１４２の直径よりも小さいことが好ましい。これにより、発泡プラスチックが排気孔から漏出することを最小化することができる。
【０１９０】
なお、第１チャンバー２９の上面に設けられた複数の孔と支持フレーム６１に設けられた複数の孔は、第１支持ボディ９１及び第２支持ボディ９２により連結されるため、上部空間Ｓ１に供給された発泡プラスチックは第１チャンバー２９の内部やキャビネット１の外部に漏出されない。
【０１９１】
また、上部空間Ｓ１に注入された発泡プラスチックは、第１ヒンジブラケット５１をキャビネット１内にしっかり固定する役割をするので、本発明ではドアボディ４１の荷重によって第１チャンバー形成部２が破損することを防止することができる。
【０１９２】
第１チャンバー２９に設けられた複数の孔と第２チャンバー３９に設けられた複数の孔は第１流路形成部９３、第２流路形成部９４及び噴射ボディ８４１により互いに連結されるので、第３連結空間Ｓ８に注入された発泡プラスチックは第１チャンバー２９や第２チャンバー３９内に漏出されない。
【０１９３】
また前方パネル２１１に設けられた複数の孔と前方フレーム３２に設けられた複数の孔は外気ガイド９５及びワイヤガイド９６，９７により互いに連結されるので、前方空間Ｓ７に注入された発泡プラスチックは第２チャンバー３９の内部及びキャビネット１の外部に漏出されない。
【０１９４】
前方空間Ｓ７に注入された発泡プラスチックは第２ヒンジブラケット５４，５６をキャビネット１内にしっかり固定する役割をするので、本発明ではドアボディ４１の荷重によって第１チャンバー形成部２が破損することを防止することができる。
【０１９５】
図２に示すように、発泡プラスチックが発泡空間Ｓ１，Ｓ２，Ｓ３，Ｓ４，Ｓ５，Ｓ６，Ｓ７，Ｓ８内で固体化するとき、上部パネル１１１とチャンバー上面２９１は発泡プラスチックにより互いに固定され、第１側面パネル１１２と第２側面パネル１１３はチャンバーの第１側面２９３とチャンバーの第２側面２９５にそれぞれ固定され、第１後方パネル１４ａはチャンバー後面２９８に固定される。また、チャンバー底面２９７は上部フレーム３１に固定され、前方パネル２１１は前方フレーム３２に固定され、第１側面フレーム３４と第２側面フレーム３６は第１側面パネル１１２と第２側面パネル１１３にそれぞれ固定される。
【０１９６】
本発明による衣類処理装置１００は、キャビネット１、第１チャンバー形成部２及び第２チャンバー形成部３の間に形成された発泡空間Ｓ１，Ｓ２，Ｓ３，Ｓ４，Ｓ５，Ｓ６，Ｓ７，Ｓ８が発泡プラスチックにより満たされるので、空気供給部７、水分供給部８、第２支持部６ｂが作動するとき、キャビネット１が振動することを最小化することができる。
【０１９７】
また本発明では発泡空間に注入された発泡プラスチックにより第１チャンバー２９を取り囲む断熱部Ｆが設けられるので、第１チャンバー２９に供給された熱エネルギーの損失を最小化することができる。
【０１９８】
キャビネット１、第１チャンバー形成部２及び第２チャンバー形成部３の間に形成された発泡空間Ｓ１，Ｓ２，Ｓ３，Ｓ４，Ｓ５，Ｓ６，Ｓ７，Ｓ８に注入された発泡プラスチックがキャビネットの外部に漏出することを防止できる限り、各締結部の結合構造を様々に設けることができる。
【０１９９】
図１５乃至図１７は各締結部が嵌合(ｔｉｇｈｔ ｆｉｔ)構造を有する場合の一例を示す。
【０２００】
図１５に示すように、前方パネルの上部締結部２１３は上部パネルの前方締結部１１４に嵌合され、前方パネルの第１締結部２１５は前方第１締結部１１６ａに嵌合され、前方パネルの第２締結部２１７は前方第２締結部１１８ａに嵌合される。
【０２０１】
前方パネルの上部締結部２１３、前方パネルの第１締結部２１５及び前方パネルの第２締結部２１７は、前方パネルの各々の角から突出した締結板からなるが、前方パネルに備えられた各締結板は多数の変曲点を有する形状である。
【０２０２】
上部パネルの前方締結部１１４は、上部パネル１１１の前方の縁部から投入口２２に向かって折り曲げられてキャビネットの前面の一部を形成する前面形成部、前面形成部の自由端から上部パネル１１１に向かって折り曲げられた折曲部、及び折曲部の自由端からチャンバーの上面２９１に向かって折り曲げられて前方パネルの上部締結部２１３が挿入される溝を形成する溝形成部からなる。
【０２０３】
前方第１締結部１１６ａは、第１側面パネル１１２の前方の縁部から投入口２２に向かって折り曲げられてキャビネット１の前面の一部を形成する前面形成部、前面形成部の自由端から第１側面パネル１１２に向かって折り曲げられた折曲部、及び折曲部の自由端からチャンバーの第１側面２９３に向かって折り曲げられて前方パネルの第１締結部２１５が挿入される溝を形成する溝形成部からなる。
【０２０４】
前方第２締結部１１８ａは、第２側面パネル１１３の前方の縁部から投入口２２に向かって折り曲げられてキャビネット１の前面の一部を形成する前面形成部、前面形成部の自由端から第２側面パネル１１３に向かって折り曲げられた折曲部、及び折曲部の自由端からチャンバーの第２側面２９５に向かって折り曲げられて前方パネルの第２締結部２１７が挿入される溝を形成する溝形成部からなる。
【０２０５】
図９に示すように、前方パネルの下部締結部２１９は下部パネルの前方締結部１６２に嵌合される。この場合、前方パネルの下部締結部２１９は前方パネル２１１の下端から延びた締結板(多数の変曲点を有する)からなり、下部パネルの前方締結部１６２は前方パネルの下部締結部２１９が挿入される溝を形成する。
【０２０６】
即ち、下部パネルの前方締結部１６２は、パネルボディ１６１の前方の縁部から前方パネル２１１に向かって折り曲げられてキャビネットの前面の一部を形成する前面形成部、前面形成部の自由端からパネルボディ１６１に向かって折り曲げられた折曲部、及び折曲部の縁部から前方パネル２１１に向かって折り曲げられて前方パネルの下部締結部２１９が挿入される溝を形成する溝形成部からなる。
【０２０７】
図１５に示すように、第１後方パネル１４ａに備えられた後方パネルの上部締結部１４５、後方パネルの第１締結部１４７及び後方パネルの第２締結部１４９は、上部パネルの後方締結部１１５、後方第１締結部１１６ｂ及び後方第２締結部１１８ｂに嵌合される。
【０２０８】
後方パネルの上部締結部１４５は第１後方パネル１４ａの上端からチャンバー後面２９８に向かって折り曲げられた締結板からなり、後方パネルの第１締結部１４７及び後方パネルの第２締結部１４９は第１後方パネル１４ａの左側端と右側端からチャンバー後面２９８に向かって折り曲げられた締結板からなる。それぞれの後方パネルに備えられた締結板には多数の変曲点が形成される。
【０２０９】
上部パネルの後方締結部１１５は、上部パネルの後方の縁部が下部パネル１６に向かって折り曲げられてキャビネット１の後面の一部を形成する後面形成部、後面形成部の自由端からチャンバー後面に向かって折り曲げられた折曲部、及び折曲部の自由端から第１後方パネル１４ａに向かって折り曲げられて後方パネルの上部締結部１４５が挿入される溝を形成する溝形成部からなる。
【０２１０】
後方第１締結部１１６ｂは、第１側面パネル１１２の後方の縁部が第２側面パネル１１３に向かって折り曲げられてキャビネット１の後面の一部を形成する後面形成部、後面形成部の自由端からキャビネットの前面に向かって折り曲げられた折曲部、及び折曲部の自由端から第１後方パネル１４ａに向かって折り曲げられて後方パネルの第１締結部１４７が挿入される溝を形成する溝形成部からなる。
【０２１１】
後方第２締結部１１８ｂは、第２側面パネル１１３の後方の縁部が第１側面パネル１１２に向かって折り曲げられてキャビネット１の後面の一部を形成する後面形成部、後面形成部の自由端からキャビネットの前面に向かって折り曲げられた折曲部、及び折曲部の自由端から第１後方パネル１４ａに向かって折り曲げられて後方パネルの第２締結部１４９が挿入される溝を形成する溝形成部からなる。
【０２１２】
図１６に示すように、第１下部パネル１６ａの対向する両側面に備えられた下部パネルの第１締結部１６７及び下部パネルの第２締結部１６９は、下部第１締結部１１６ｃ及び下部第２締結部１１８ｃに嵌入結合される。
【０２１３】
下部パネルの第１締結部１６７はパネルボディ１６１の一端から上部に向かって折り曲げられた締結板からなり、下部パネルの第２締結部１６９はパネルボディ１６１の他端から上部に向かって折り曲げられた締結板からなり、第１下部パネルに備えられた各締結板には多数の変曲点が形成される。
【０２１４】
下部第１締結部１１６ｃは、第１側面パネル１１２の下端が第２側面パネル１１３に向かって折り曲げられてキャビネットの底面の一部を形成する底面形成部、底面形成部の自由端から上部パネル１１１に向かって折り曲げられた折曲部、及び折曲部の自由端からパネルボディ１６１に向かって折り曲げられて下部パネルの第１締結部１６７が嵌入される溝を形成する溝形成部からなる。
【０２１５】
下部第２締結部１１８ｃは、第２側面パネル１１３の下端が第１側面パネル１１２に向かって折り曲げられてキャビネットの底面の一部を形成する底面形成部、底面形成部の自由端から上部パネル１１１に向かって折り曲げられた折曲部、及び折曲部の自由端からパネルボディ１６１に向かって折り曲げられて下部パネルの第２締結部１６９が嵌入される溝を形成する溝形成部からなる。
【０２１６】
一方、第１側面フレーム３４に備えられたフレームの下部第１締結部３４９及び第２側面フレーム３６に備えられたフレームの下部第２締結部３６９はそれぞれ下部第２締結部１１６ｃ及び下部第２締結部１１８ｃに嵌入結合される。フレームの下部第１締結部３４９は下部パネルの第１支持部３４７の自由端が下部第１締結部１１６ｃに向かって折り曲げられた締結板からなり、フレームの下部第２締結部３６９は下部パネルの第２支持部３６７の自由端が下部第２締結部１１８ｃに向かって折り曲げられた締結板からなる。第２チャンバー形成部の底面に形成された各締結板には多数の変曲点が形成される。
【０２１７】
フレームの後方第１締結部３４４及びフレームの後方第２締結部３６４は下部第１締結部１１６ｃ及び下部第２締結部１１８ｃに嵌入結合する。フレームの後方第１締結部３４４は後方パネルの第１支持部３４３の自由端が後方第１締結部１１６ｂに向かって折り曲げられた締結板からなり、フレームの後方第２締結部３６４は後方パネルの第２支持部３６３の自由端が後方第２締結部１１８ｂに向かって折り曲げられた締結板からなる。第２チャンバー形成部の後面に形成された各締結板には多数の変曲点が形成される。
【０２１８】
図７に示すように、本発明による衣類処理装置１００はさらに第１側面フレーム３４と第１側面パネル１１２の間に形成された空間及び第２側面フレーム３６と第１側面パネル１１３の間に形成された空間にそれぞれ備えられる第１強度補強フレーム１１２ａ及び第２強度補強フレーム１１３ａを含む。
【０２１９】
第１側面フレーム３４と第１側面パネル１１２の間に形成された第１連結空間Ｓ５(図１６を参考)の厚さは、チャンバーの第１側面２９３と第１側面パネル１１２の間に形成された第２空間Ｓ２(図１５を参考)の厚さよりも薄いが、第１強度補強フレーム１１２ａは第１連結空間Ｓ５の強度を高める手段になる。
【０２２０】
また第２側面フレーム３６と第２側面パネル１１３の間に形成された第２連結空間Ｓ６(図１６を参考)の厚さは、チャンバーの第２側面２９５と第２側面パネル１１３の間に形された第３空間Ｓ３の厚さよりも薄い。従って、第２強度補強フレーム１１３ａは第２連結空間Ｓ６の強度を高める手段になる。
【０２２１】
第１強度補強フレーム１１２ａは第１側面パネル１１２の下端の後方角に固定されるＬ字状のバー(ｂａｒ)からなり、第２強度補強フレーム１１３ａは第２側面パネル１１３の下端の後方角に固定されるＬ字状のバーからなる。
【０２２２】
またチャンバー底面２９７と上部フレーム３１の間に形成された第３連結空間Ｓ８(図３を参考)の強度を高めるために、第２チャンバー形成部３にはさらに多数のリブが備えられる。
【０２２３】
図１４に示すように、リブは上部フレーム３１の対向する両側面にそれぞれ備えられた上部第１リブ３８１及び上部第２リブ３８３を含む。上部第１リブ３８１は第１側面フレーム３４の上端からチャンバー底面２９７に向かって突出した板からなり、上部第２リブ３８３は第２側面フレーム３６の上端からチャンバー底面２９７に向かって延びる板からなる。
【０２２４】
さらにリブは前方フレーム３２の両側面にそれぞれ備えられた側面第１リブ３８５及び側面第２リブ３８７を含む。側面第１リブ３８５は第１側面フレーム３４の前端から前方パネル２１１に向かって突出する板からなり、前方第２リブ３８７は第２側面フレーム３６の前端から前方パネル２１１に向かって延びる板からなる。
【０２２５】
第３連結空間Ｓ８に流入した発泡プラスチックが固体化すると、上述したリブ３８１，３８３，３８５，３８７はチャンバー底面２９７と第２チャンバー形成部３の結合力を高めることができるので、本発明ではリブにより第３連結空間の強度を高めることができる。
【０２２６】
またリブ３８１，３８３，３８５，３８７は後方空間Ｓ４に流入した液体状態の発泡プラスチックを第３連結空間Ｓ８及び前方空間Ｓ７に導く役割もする。
【０２２７】
図８に示すように、制御部７８１に水などの異物質が流入することを防止するために、取付ボディ７８には制御部７８１が収容される空間を提供し、さらに第２後方パネル１４ａが位置する方向に向かって開放した形状の制御部ハウジング７８３が備えられる。
【０２２８】
本発明は様々な形態に変形して実施でき、上記実施例に本発明の権利範囲が限定されない。従って、変形した実施例が本発明の特許請求の範囲の構成要素を含んでいる場合、本発明の権利範囲に属するものと解釈できる。
【図１】
2021531132.tif 000003
【図２】
2021531132.tif 000004
【図３】
2021531132.tif 000005
【図４】
2021531132.tif 000006
【図５】
2021531132.tif 000007
【図６】
2021531132.tif 000008
【図７】
2021531132.tif 000009
【図８】
2021531132.tif 000010
【図９】
2021531132.tif 000011
【図１０】
2021531132.tif 000012
【図１１】
2021531132.tif 000013
【図１２】
2021531132.tif 000014
【図１３】
2021531132.tif 000015
【図１４】
2021531132.tif 000016
【図１５】
2021531132.tif 000017
【図１６】
2021531132.tif 000018
【図１７】
2021531132.tif 000019
【国際調査報告】
2021531132.tif 000020
2021531132.tif 000021
2021531132.tif 000022
2021531132.tif 000023